(57)【特許請求の範囲】
【請求項１】
ＳＴＡ（ｓｔａｔｉｏｎ）によりチャネルアクセスを実行する方法であって、前記方法は、
前記ＳＴＡにより、節電モードにおける動作をビーコンインターバル間でドーズ状態からアウェイク状態に切り替えることと、
前記アウェイク状態の前記ＳＴＡにより、変更されたＥＤＣＡ（ｅｎｈａｎｃｅｄ  ｄｉｓｔｒｉｂｕｔｅｄ  ｃｈａｎｎｅｌ  ａｃｃｅｓｓ）パラメータセットに対する情報を含むビーコンフレームがＡＰ（ａｃｃｅｓｓ  ｐｏｉｎｔ）から受信されないときに、第１のフレームを前記ＡＰに送信することであって、前記第１のフレームは、前記変更されたＥＤＣＡパラメータセットを決定するために第１の情報が使用されることを要求し、前記第１のフレームは、以前に格納されたＥＤＣＡパラメータセットに従って第１のチャネルアクセスに基づいて送信される、ことと、
前記ＳＴＡにより、前記ＳＴＡが前記アウェイク状態に切り替えられた後に、前記第１の情報を含む第２のフレームをモニタリングすることと、
前記ＳＴＡにより、前記ビーコンインターバル内で前記ＡＰから前記第２のフレームを受信することであって、前記第２のフレームは、前記第１のフレームに応答して受信される、ことと、
前記ＳＴＡにより、前記第１の情報に基づいて前記変更されたＥＤＣＡパラメータセットを決定することと、
前記ＳＴＡにより、前記変更されたＥＤＣＡパラメータセットに基づいて第２のチャネルアクセスを実行することと
を含む、方法。
【請求項２】
前記第１の情報は、複数のＥＤＣＡパラメータセットの中から前記変更されたＥＤＣＡパラメータセットが前記第２のチャネルアクセスのために使用されるために使用され、
前記変更されたＥＤＣＡパラメータセットは、複数のアクセスカテゴリの各々に対する複数の種類のＥＤＣＡパラメータを含む、請求項１に記載の方法。
【請求項３】
前記第１の情報は、さらに、前記複数のＥＤＣＡパラメータセットの個数に対する情報を含む、請求項２に記載の方法。
【請求項４】
前記ＳＴＡにより、前記第２のフレームの送信周期にわたるモニタリングの結果として前記ＳＴＡが前記第２のフレームを受信しない場合に、前記以前に格納されたＥＤＣＡパラメータセットに基づいて第３のチャネルアクセスを実行することをさらに含む、請求項１に記載の方法。
【請求項５】
チャネルアクセスを実行するＳＴＡであって、前記ＳＴＡは、
無線信号を送信または受信するように構成されたＲＦ（ｒａｄｉｏ  ｆｒｅｑｕｅｎｃｙ）部と、
前記ＲＦ部と作用可能に連結されるプロセッサと
を含み、
前記プロセッサは、
節電モードにおける動作をビーコンインターバル間でドーズ状態からアウェイク状態に切り替えることと、
変更されたＥＤＣＡ（ｅｎｈａｎｃｅｄ  ｄｉｓｔｒｉｂｕｔｅｄ  ｃｈａｎｎｅｌ  ａｃｃｅｓｓ）パラメータセットに対する情報を含むビーコンフレームがＡＰ（ａｃｃｅｓｓ  ｐｏｉｎｔ）から受信されないときに、第１のフレームを前記ＡＰに送信することであって、前記第１のフレームは、前記変更されたＥＤＣＡパラメータセットを決定するために第１の情報が使用されることを要求し、前記第１のフレームは、以前に格納されたＥＤＣＡパラメータセットに従って第１のチャネルアクセスに基づいて送信される、ことと、
前記ＳＴＡが前記アウェイク状態に切り替えられた後に、前記第１の情報を含む第２のフレームをモニタリングすることと、
前記ビーコンインターバル内で前記ＡＰから前記第２のフレームを受信することであって、前記第２のフレームは、前記第１のフレームに応答して受信される、ことと、
前記第１の情報に基づいて前記変更されたＥＤＣＡパラメータセットを決定することと、
前記変更されたＥＤＣＡパラメータセットに基づいて第２のチャネルアクセスを実行することと
を実行するように構成される、ＳＴＡ。
【請求項６】
前記第１の情報は、複数のＥＤＣＡパラメータセットの中から前記変更されたＥＤＣＡパラメータセットが前記第２のチャネルアクセスのために使用されるために使用され、
前記変更されたＥＤＣＡパラメータセットは、複数のアクセスカテゴリの各々に対する複数の種類のＥＤＣＡパラメータを含む、請求項５に記載のＳＴＡ。
【請求項７】
前記第１の情報は、さらに、前記複数のＥＤＣＡパラメータセットの個数に対する情報を含む、請求項６に記載のＳＴＡ。
【請求項８】
前記プロセッサは、前記第２のフレームの送信周期にわたるモニタリングの結果として前記ＳＴＡが前記第２のフレームを受信しない場合に、前記以前に格納されたＥＤＣＡパラメータセットに基づいて第３のチャネルアクセスを実行するように構成される、請求項５に記載のＳＴＡ。
【発明の詳細な説明】
【技術分野】
【０００１】
本発明は、無線通信に関し、よく詳しくは、無線ＬＡＮ(ｗｉｒｅｌｅｓｓ  ｌｏｃａｌ  ａｒｅａ  ｎｅｔｗｏｒｋ、ＷＬＡＮ)におけるチャネルアクセス方法及び装置に関する。
【背景技術】
【０００２】
ＩＥＥＥ(ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ)８０２.１１のＷＮＧ  ＳＣ(Ｗｉｒｅｌｅｓｓ  Ｎｅｘｔ  Ｇｅｎｅｒａｔｉｏｎ  Ｓｔａｎｄｉｎｇ  Ｃｏｍｍｉｔｔｅｅ)は、次世代ＷＬＡＮ(ｗｉｒｅｌｅｓｓ  ｌｏｃａｌ  ａｒｅａ  ｎｅｔｗｏｒｋ)を中長期的に論議するアドホック委員会(ｃｏｍｍｉｔｔｅｅ)である。
【０００３】
２０１３年３月ＩＥＥＥ会議で、ブロードコムは、無線ＬＡＮ標準化ヒストリに基づき、ＩＥＥＥ８０２.１１ａｃ標準以後の次世代無線ＬＡＮに対する議論の必要性を提示した。
【０００４】
一名ＩＥＥＥ８０２.１１ａｘまたはＨＥＷ(Ｈｉｇｈ  Ｅｆｆｉｃｉｅｎｃｙ  ＷＬＡＮ)と呼ばれる次世代ＷＬＡＮスタディグループで主に論議されるＩＥＥＥ８０２.１１ａｘの範囲(ｓｃｏｐｅ)は、１)２.４ＧＨｚ及び５ＧＨｚなどの帯域で８０２.１１ＰＨＹ(ｐｈｙｓｉｃａｌ)階層とＭＡＣ(ｍｅｄｉｕｍ  ａｃｃｅｓｓ  ｃｏｎｔｒｏｌ)階層の向上、２)スペクトラム効率性(ｓｐｅｃｔｒｕｍ  ｅｆｆｉｃｉｅｎｃｙ)と領域スループット(ａｒｅａ  ｔｈｒｏｕｇｈｐｕｔ)を高めるもの、３)干渉ソースが存在する環境、密集した異種ネットワーク(ｈｅｔｅｒｏｇｅｎｅｏｕｓ  ｎｅｔｗｏｒｋ)環境及び高いユーザ負荷が存在する環境のような実際室内環境及び室外環境で性能を向上させるもの、などがある。ＩＥＥＥ８０２.１１ａｘで主に考慮されるシナリオは、ＡＰ(ａｃｃｅｓｓ  ｐｏｉｎｔ)とＳＴＡ(ｓｔａｔｉｏｎ)が多い密集環境であり、ＩＥＥＥ８０２.１１ａｘは、このような状況でスペクトラム効率(ｓｐｅｃｔｒｕｍ  ｅｆｆｉｃｉｅｎｃｙ)と空間スループット(ａｒｅａ  ｔｈｒｏｕｇｈｐｕｔ)改善に対して議論する。特に、次世代無線ＬＡＮは、室内環境だけでなく、既存無線ＬＡＮで多く考慮されていない室外環境での実質的性能改善にも関心を有する。
【０００５】
ＩＥＥＥ８０２.１１ａｘでは、無線オフィス(ｗｉｒｅｌｅｓｓ  ｏｆｆｉｃｅ)、スマートホーム(ｓｍａｒｔ  ｈｏｍｅ)、スタジアム(Ｓｔａｄｉｕｍ)、ホットスポット(Ｈｏｔｓｐｏｔ)、ビル/アパート(ｂｕｉｌｄｉｎｇ/ａｐａｒｔｍｅｎｔ)のようなシナリオに関心が大きく、該当シナリオに基づいてＡＰとＳＴＡが多い密集環境でのシステム性能向上に対する議論が進行されている。
【０００６】
今後、ＩＥＥＥ８０２.１１ａｘでは、一つのＢＳＳ(ｂａｓｉｃ  ｓｅｒｖｉｃｅ  ｓｅｔ)での単一リンク性能向上よりは、ＯＢＳＳ(ｏｖｅｒｌａｐｐｉｎｇ  ｂａｓｉｃ  ｓｅｒｖｉｃｅ  ｓｅｔ)環境でのシステム性能向上及び室外環境性能改善、そしてセルラーオフローディングなどに対する議論が活発になることが予想される。このようなＩＥＥＥ８０２.１１ａｘの方向性は、次世代無線ＬＡＮがますます移動通信と類似の技術範囲を有するようになることを意味する。最近、スモールセル及びＤ２Ｄ(Ｄｉｒｅｃｔ−ｔｏ−Ｄｉｒｅｃｔ)通信領域で移動通信と無線ＬＡＮ技術が共に論議されている状況を考慮してみる時、ＩＥＥＥ８０２.１１ａｘに基づいている次世代無線ＬＡＮと移動通信の技術的及び事業的融合は、一層活発になることが予測される。
【発明の概要】
【発明が解決しようとする課題】
【０００７】
本発明の目的は、無線ＬＡＮにおけるチャネルアクセス方法を提供することである。
【０００８】
本発明の他の目的は、無線ＬＡＮにおけるチャネルアクセスを実行する装置を提供することである。
【課題を解決するための手段】
【０００９】
前述した本発明の目的を達成するための本発明の一側面によるＳＴＡ(ｓｔａｔｉｏｎ)のチャネルアクセス方法は、節電モード(ｐｏｗｅｒ  ｓａｖｉｎｇ  ｍｏｄｅ)で動作する前記ＳＴＡがビーコンインターバル間でドーズ状態(ｄｏｚｅ  ｓｔａｔｅ)からアウェイク状態(ａｗａｋｅ  ｓｔａｔｅ)に切り替える(ｓｗｉｔｃｈ)ステップ、前記ＳＴＡが前記アウェイク状態に切り替えられた後、チャネルアクセスパラメータフレームをモニタリングするステップ、前記ＳＴＡがＡＰから前記チャネルアクセスパラメータフレームを受信し、前記チャネルアクセスパラメータフレームは、ＥＤＣＡセット決定情報を含む、ステップ、及び前記ＳＴＡが前記ＥＤＣＡセット決定情報に基づいて決定されたチャネルアクセスＥＤＣＡパラメータを使用してチャネルアクセスするステップを含み、前記チャネルアクセスパラメータフレームは、前記ビーコンインターバル間で少なくとも一回送信される。
【００１０】
前述した本発明の目的を達成するための本発明の他の側面によるチャネルアクセスを実行するＳＴＡ(ｓｔａｔｉｏｎ)において、前記ＳＴＡは、無線信号を送信及び受信するために具現されたＲＦ(ｒａｄｉｏ  ｆｒｅｑｕｅｎｃｙ)部及び前記ＲＦ部と選択的に連結されるプロセッサを含み、前記プロセッサは、節電モード(ｐｏｗｅｒ  ｓａｖｉｎｇ  ｍｏｄｅ)で動作時、ビーコンインターバル間でドーズ状態(ｄｏｚｅ  ｓｔａｔｅ)からアウェイク状態(ａｗａｋｅ  ｓｔａｔｅ)に切り替え(ｓｗｉｔｃｈ)、前記アウェイク状態に切り替えられた後、チャネルアクセスパラメータフレームをモニタリングし、ＡＰから前記チャネルアクセスパラメータフレームを受信し、前記チャネルアクセスパラメータフレームは、ＥＤＣＡ(ｅｎｈａｎｃｅｄ  ｄｉｓｔｒｉｂｕｔｅｄ  ｃｈａｎｎｅｌ  ａｃｃｅｓｓ)セット決定情報を含み、前記ＥＤＣＡセット決定情報に基づいて決定されたＥＤＣＡパラメータを使用してチャネルアクセスするように具現され、前記チャネルアクセスパラメータフレームは、前記ビーコンインターバル間で少なくとも一回送信される。
本明細書は、例えば、以下の項目も提供する。
（項目１）
ＳＴＡ(ｓｔａｔｉｏｎ)のチャネルアクセス方法において、
節電モード(ｐｏｗｅｒ  ｓａｖｉｎｇ  ｍｏｄｅ)で動作する前記ＳＴＡがビーコンインターバル間でドーズ状態(ｄｏｚｅ  ｓｔａｔｅ)からアウェイク状態(ａｗａｋｅ  ｓｔａｔｅ)に切り替える(ｓｗｉｔｃｈ)ステップ；
前記ＳＴＡが前記アウェイク状態に切り替えられた後、チャネルアクセスパラメータフレームをモニタリングするステップ；
前記ＳＴＡがＡＰから前記チャネルアクセスパラメータフレームを受信し、前記チャネルアクセスパラメータフレームは、ＥＤＣＡ(ｅｎｈａｎｃｅｄ  ｄｉｓｔｒｉｂｕｔｅｄ  ｃｈａｎｎｅｌ  ａｃｃｅｓｓ)セット決定情報を含む、ステップ；及び、
前記ＳＴＡが前記ＥＤＣＡセット決定情報に基づいて決定されたチャネルアクセスＥＤＣＡパラメータを使用してチャネルアクセスするステップ；を含み、
前記チャネルアクセスパラメータフレームは、前記ビーコンインターバル間で少なくとも一回送信される方法。
（項目２）
前記ＥＤＣＡセット決定情報は、ＥＤＣＡパラメータセット指示子及びスケーリング要素を含み、
前記ＥＤＣＡパラメータセット指示子は、複数のＥＤＣＡパラメータセットのうち前記チャネルアクセスのために使用する一つのＥＤＣＡパラメータセットを指示する情報を含み、
前記一つのＥＤＣＡパラメータセットは、複数のアクセスカテゴリの各々に対するＥＤＣＡパラメータを含み、
前記スケーリング要素は、前記ＥＤＣＡパラメータを決定するためのスケーリング値に対する情報を含み、
前記チャネルアクセスＥＤＣＡパラメータは、前記ＥＤＣＡパラメータのうち、一つのアクセスカテゴリに対するＥＤＣＡパラメータ情報であることを特徴とする項目１に記載の方法。
（項目３）
前記ＥＤＣＡセット決定情報は、前記複数のＥＤＣＡパラメータセットの個数に対する情報をさらに含み、
前記複数のＥＤＣＡパラメータセットの各々は、前記複数のＥＤＣＡパラメータに対する情報及び前記スケーリング要素のうち少なくとも一つを考慮して決定されることを特徴とする項目２に記載の方法。
（項目４）
前記チャネルアクセスパラメータフレームは、前記ビーコンインターバル間で前記ＥＤＣＡパラメータが変化された場合、送信されることを特徴とする項目１に記載の方法。
（項目５）
前記ＳＴＡは、前記チャネルアクセスパラメータフレームの送信周期を考慮して前記送信周期の間にモニタリングした結果、前記チャネルアクセスパラメータフレームを受信することができない場合、既存のＥＤＣＡパラメータに基づいて前記チャネルアクセスを実行することを特徴とする項目４に記載の方法。
（項目６）
チャネルアクセスを実行するＳＴＡ(ｓｔａｔｉｏｎ)において、前記ＳＴＡは、
無線信号を送信及び受信するために具現されたＲＦ(ｒａｄｉｏ  ｆｒｅｑｕｅｎｃｙ)部；及び、
前記ＲＦ部と選択的に連結されるプロセッサ；を含み、前記プロセッサは、
節電モード(ｐｏｗｅｒ  ｓａｖｉｎｇ  ｍｏｄｅ)で動作時、ビーコンインターバル間でドーズ状態(ｄｏｚｅ  ｓｔａｔｅ)からアウェイク状態(ａｗａｋｅ  ｓｔａｔｅ)に切り替え(ｓｗｉｔｃｈ)、
前記アウェイク状態に切り替えられた後、チャネルアクセスパラメータフレームをモニタリングし、
ＡＰから前記チャネルアクセスパラメータフレームを受信し、前記チャネルアクセスパラメータフレームは、ＥＤＣＡ(ｅｎｈａｎｃｅｄ  ｄｉｓｔｒｉｂｕｔｅｄ  ｃｈａｎｎｅｌ  ａｃｃｅｓｓ)セット決定情報を含み、
前記ＥＤＣＡセット決定情報に基づいて決定されたチャネルアクセスＥＤＣＡパラメータを使用してチャネルアクセスするように具現され、
前記チャネルアクセスパラメータフレームは、前記ビーコンインターバル間で少なくとも一回送信されるＳＴＡ。
（項目７）
前記ＥＤＣＡセット決定情報は、ＥＤＣＡパラメータセット指示子及びスケーリング要素を含み、
前記ＥＤＣＡパラメータセット指示子は、複数のＥＤＣＡパラメータセットのうち前記チャネルアクセスのために使用する一つのＥＤＣＡパラメータセットを指示する情報を含み、
前記一つのＥＤＣＡパラメータセットは、複数のアクセスカテゴリの各々に対するＥＤＣＡパラメータを含み、
前記スケーリング要素は、前記ＥＤＣＡパラメータを決定するためのスケーリング値に対する情報を含み、
前記チャネルアクセスＥＤＣＡパラメータは、前記ＥＤＣＡパラメータのうち、一つのアクセスカテゴリに対するＥＤＣＡパラメータ情報であることを特徴とする項目６に記載のＳＴＡ。
（項目８）
前記ＥＤＣＡセット決定情報は、前記複数のＥＤＣＡパラメータセットの個数に対する情報をさらに含み、
前記複数のＥＤＣＡパラメータセットの各々は、前記複数のＥＤＣＡパラメータに対する情報及び前記スケーリング要素のうち少なくとも一つを考慮して決定されることを特徴とする項目７に記載のＳＴＡ。
（項目９）
前記チャネルアクセスパラメータフレームは、前記ビーコンインターバル間で前記ＥＤＣＡパラメータが変化された場合、送信されることを特徴とする項目６に記載のＳＴＡ。
（項目１０）
前記プロセッサは、前記チャネルアクセスパラメータフレームの送信周期を考慮して前記送信周期の間にモニタリングした結果、前記チャネルアクセスパラメータフレームを受信することができない場合、既存のＥＤＣＡパラメータに基づいて前記チャネルアクセスを実行するように具現される項目９に記載のＳＴＡ。
【発明の効果】
【００１１】
節電モード(Ｐｏｗｅｒ  ｓａｖｉｎｇ  ｍｏｄｅ)であるＳＴＡがドーズ状態(ｄｏｚｅ  ｓｔａｔｅ)からアウェイク状態(ａｗａｋｅ  ｓｔａｔｅ)に切り替えた後、速く変化されたチャネルアクセスパラメータに基づいてチャネルアクセスを実行することができる。ＳＴＡがチャネル環境を反映して変化されたチャネルアクセスパラメータに基づいてチャネルアクセスを実行することによって他のＳＴＡとの衝突可能性を減少させ、ＳＴＡは、速くチャネルアクセスすることができる。
【図面の簡単な説明】
【００１２】
【図１】図１は、無線ＬＡＮ(ｗｉｒｅｌｅｓｓ  ｌｏｃａｌ  ａｒｅａ  ｎｅｔｗｏｒｋ、ＷＬＡＮ)の構造を示す概念図である。
【００１３】
【図２】図２は、ＩＥＥＥ８０２.１１によりサポートされる無線ＬＡＮシステムの階層アーキテクチャを示す。
【００１４】
【図３】図３は、無線ＬＡＮにおけるスキャニング方法を示す概念図である。
【００１５】
【図４】図４は、ＡＰとＳＴＡのスキャニング後、認証及び結合過程を示す概念図である。
【００１６】
【図５】図５は、アクティブスキャニング手順(ａｃｔｉｖｅ  ｓｃａｎｎｉｎｇ  ｐｒｏｃｅｄｕｒｅ)に対する概念図である。
【００１７】
【図６】図６は、ＤＣＦベースのチャネルアクセス過程を示す概念図である。
【００１８】
【図７】図７は、複数のＳＴＡのバックオフ手順を示す概念図である。
【００１９】
【図８】図８は、時間リソース上でフレーム間の間隔を示す概念図である。
【００２０】
【図９】図９は、ＳＴＡのＴＸＯＰを取得する方法を示す概念図である。
【００２１】
【図１０】図１０は、ＥＤＣＡチャネル参照モデルを示す概念図である。
【００２２】
【図１１】図１１は、ＥＤＣＡのバックオフ手順を示す概念図である。
【００２３】
【図１２】図１２は、既存の無線ＬＡＮ環境で送信または受信されるフレームの比率を示すグラフである。
【００２４】
【図１３】図１３は、本発明の実施例に係る複数のＥＤＣＡパラメータセット設定要素(ｍｕｌｔｉｐｌｅ  ＥＤＣＡ  ｐａｒａｍｅｔｅｒ  ｓｅｔ  ｃｏｎｆｉｇｕｒａｔｉｏｎ  ｅｌｅｍｅｎｔ)を示す概念図である。
【００２５】
【図１４】図１４は、本発明の実施例に係る複数のＥＤＣＡパラメータセット設定要素を示す概念図である。
【００２６】
【図１５】図１５は、本発明の実施例に係る複数のＥＤＣＡパラメータセット設定要素を示す概念図である。
【００２７】
【図１６】図１６は、本発明の実施例に係る複数のＥＤＣＡパラメータセット設定要素を示す概念図である。
【００２８】
【図１７】図１７は、本発明の実施例に係るＳＴＡのＥＤＣＡパラメータ情報を受信する方法を示す概念図である。
【００２９】
【図１８】図１８は、本発明の実施例に係るＥＤＣＡパラメータ情報を伝達するためのＮＤＰを示す概念図である。
【００３０】
【図１９】図１９は、本発明の実施例に係るＳＴＡのＥＤＣＡパラメータセット決定情報を受信する方法を示す概念図である。
【００３１】
【図２０】図２０は、本発明の実施例に係るＳＴＡのＥＤＣＡパラメータ情報受信方法を示す概念図である。
【００３２】
【図２１】図２１は、本発明の実施例に係るＥＤＣＡパラメータセット決定情報を送信するための応答フレームを示す概念図である。
【００３３】
【図２２】図２２は、本発明の実施例が適用されることができる無線装置を示すブロック図である。
【発明を実施するための形態】
【００３４】
図１は、無線ＬＡＮ(ｗｉｒｅｌｅｓｓ  ｌｏｃａｌ  ａｒｅａ  ｎｅｔｗｏｒｋ、ＷＬＡＮ)の構造を示す概念図である。
【００３５】
図１の上段は、ＩＥＥＥ(ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ)８０２.１１のインフラストラクチャネットワーク(ｉｎｆｒａｓｔｒｕｃｔｕｒｅ  ｎｅｔｗｏｒｋ)の構造を示す。
【００３６】
図１の上段を参照すると、無線ＬＡＮシステムは、一つまたはそれ以上の基本サービスセット(Ｂａｓｉｃ  Ｓｅｒｖｉｃｅ  Ｓｅｔ、ＢＳＳ)１００、１０５を含むことができる。ＢＳＳ１００、１０５は、成功的に同期化を行われて互いに通信できるＡＰ(ａｃｃｅｓｓ  ｐｏｉｎｔ)１２５及びＳＴＡ１(Ｓｔａｔｉｏｎ)１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むことができる。
【００３７】
インフラストラクチャＢＳＳは、少なくとも一つのＳＴＡ、分散サービス(Ｄｉｓｔｒｉｂｕｔｉｏｎ  Ｓｅｒｖｉｃｅ)を提供するＡＰ１２５、１３０及び複数のＡＰを連結させる分散システム(Ｄｉｓｔｒｉｂｕｔｉｏｎ  Ｓｙｓｔｅｍ、ＤＳ)１１０を含むことができる。
【００３８】
分散システム１１０は、複数のＢＳＳ１００、１０５を連結して拡張されたサービスセットであるＥＳＳ(ｅｘｔｅｎｄｅｄ  ｓｅｒｖｉｃｅ  ｓｅｔ)１４０を具現することができる。ＥＳＳ１４０は、一つまたは複数個のＡＰ１２５、１３０が分散システム１１０を介して連結されて構成された一つのネットワークを指示する用語として使われることができる。一つのＥＳＳ１４０に含まれるＡＰは、同じＳＳＩＤ(ｓｅｒｖｉｃｅ  ｓｅｔ  ｉｄｅｎｔｉｆｉｃａｔｉｏｎ)を有することができる。
【００３９】
ポータル(ｐｏｒｔａｌ)１２０は、無線ＬＡＮネットワーク(ＩＥＥＥ８０２.１１)と他のネットワーク(例えば、８０２.Ｘ)との連結を実行するブリッジ役割を遂行することができる。
【００４０】
図１の上段のようなインフラストラクチャネットワークでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０が無しでＳＴＡ間でもネットワークを設定して通信を実行することも可能である。ＡＰ１２５、１３０が無しでＳＴＡ間でもネットワークを設定して通信を実行するネットワークをアドホックネットワーク(Ａｄ−Ｈｏｃ  ｎｅｔｗｏｒｋ)または独立ＢＳＳ(ｉｎｄｅｐｅｎｄｅｎｔ  ｂａｓｉｃ  ｓｅｒｖｉｃｅｓｅｔ)と定義する。
【００４１】
図１の下段は、独立ＢＳＳを示す概念図である。
【００４２】
図１の下段を参照すると、独立ＢＳＳ(ｉｎｄｅｐｅｎｄｅｎｔ  ＢＳＳ、ＩＢＳＳ)は、アドホックモードに動作するＢＳＳである。ＩＢＳＳは、ＡＰを含まないため、中央で管理機能を遂行する個体(ｃｅｎｔｒａｌｉｚｅｄ  ｍａｎａｇｅｍｅｎｔ  ｅｎｔｉｔｙ)がない。即ち、ＩＢＳＳでは、ＳＴＡ１５０−１、１５０−２、１５０−３、１５５−４、１５５−５が分散された方式(ｄｉｓｔｒｉｂｕｔｅｄ  ｍａｎｎｅｒ)に管理される。ＩＢＳＳでは、全てのＳＴＡ１５０−１、１５０−２、１５０−３、１５５−４、１５５−５が移動ＳＴＡからなることができ、分散システムへの接続が許容されなくて自己完備的ネットワーク(ｓｅｌｆ−ｃｏｎｔａｉｎｅｄ  ｎｅｔｗｏｒｋ)を構築する。
【００４３】
ＳＴＡは、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)８０２.１１標準の規定に従う媒体接続制御(Ｍｅｄｉｕｍ  Ａｃｃｅｓｓ  Ｃｏｎｔｒｏｌ、ＭＡＣ)と無線媒体に対する物理階層(Ｐｈｙｓｉｃａｌ  Ｌａｙｅｒ)インターフェースを含む任意の機能媒体であり、広義では、ＡＰと非−ＡＰ  ＳＴＡ(Ｎｏｎ−ＡＰ  Ｓｔａｔｉｏｎ)を両方とも含む意味として使われることができる。
【００４４】
ＳＴＡは、移動端末(ｍｏｂｉｌｅ  ｔｅｒｍｉｎａｌ)、無線機器(ｗｉｒｅｌｅｓｓ  ｄｅｖｉｃｅ)、無線送受信ユニット(Ｗｉｒｅｌｅｓｓ  Ｔｒａｎｓｍｉｔ/Ｒｅｃｅｉｖｅ  Ｕｎｉｔ；ＷＴＲＵ)、ユーザ装備(Ｕｓｅｒ  Ｅｑｕｉｐｍｅｎｔ；ＵＥ)、移動局(Ｍｏｂｉｌｅ  Ｓｔａｔｉｏｎ；ＭＳ)、モバイル加入者ユニット(Ｍｏｂｉｌｅ  Ｓｕｂｓｃｒｉｂｅｒ  Ｕｎｉｔ)または単純にユーザ(ｕｓｅｒ)などの多様な名称で呼ばれることもある。
【００４５】
図２は、ＩＥＥＥ８０２.１１によりサポートされる無線ＬＡＮシステムの階層アーキテクチャを示す。
【００４６】
図２では、無線ＬＡＮシステムの階層アーキテクチャ(ＰＨＹ  ａｒｃｈｉｔｅｃｔｕｒｅ)を概念的に示した。
【００４７】
無線ＬＡＮシステムの階層アーキテクチャは、ＭＡＣ(ｍｅｄｉｕｍ  ａｃｃｅｓｓ  ｃｏｎｔｒｏｌ)副階層(ｓｕｂｌａｙｅｒ)２２０、ＰＬＣＰ(Ｐｈｙｓｉｃａｌ  Ｌａｙｅｒ  Ｃｏｎｖｅｒｇｅｎｃｅ  Ｐｒｏｃｅｄｕｒｅ)副階層２１０、及びＰＭＤ(Ｐｈｙｓｉｃａｌ  Ｍｅｄｉｕｍ  Ｄｅｐｅｎｄｅｎｔ)副階層２００を含むことができる。ＰＬＣＰ副階層２１０は、ＭＡＣ副階層２２０がＰＭＤ副階層２００に最小限の従属性を有して動作できるように具現される。ＰＭＤ副階層２００は、複数のＳＴＡ間でデータを送受信するための送信インターフェース役割を遂行することができる。
【００４８】
ＭＡＣ副階層２２０、ＰＬＣＰ副階層２１０、及びＰＭＤ副階層２００は、概念的に管理部(ｍａｎａｇｅｍｅｎｔ  ｅｎｔｉｔｙ)を含むことができる。
【００４９】
ＭＡＣ副階層２２０の管理部は、ＭＬＭＥ(ＭＡＣ  Ｌａｙｅｒ  Ｍａｎａｇｅｍｅｎｔ  Ｅｎｔｉｔｙ)２２５であり、物理階層の管理部は、ＰＬＭＥ(ＰＨＹ  Ｌａｙｅｒ  Ｍａｎａｇｅｍｅｎｔ  Ｅｎｔｉｔｙ)２１５である。このような管理部は、階層管理動作が実行されるインターフェースを提供することができる。ＰＬＭＥ２１５は、ＭＬＭＥ２２５と連結されてＰＬＣＰ副階層２１０及びＰＭＤ副階層２００の管理動作(ｍａｎａｇｅｍｅｎｔ  ｏｐｅｒａｔｉｏｎ)を実行することができ、ＭＬＭＥ２２５もＰＬＭＥ２１５と連結されてＭＡＣ副階層２２０の管理動作(ｍａｎａｇｅｍｅｎｔ  ｏｐｅｒａｔｉｏｎ)を実行することができる。
【００５０】
正確なＭＡＣ階層動作が実行されるために、ＳＭＥ(ＳＴＡ  ｍａｎａｇｅｍｅｎｔ  ｅｎｔｉｔｙ)２５０が存在する。ＳＭＥ２５０は、階層に独立的な構成部として運用されることができる。ＭＬＭＥ、ＰＬＭＥ、及びＳＭＥは、プリミティブ(ｐｒｉｍｉｔｉｖｅ)に基づいて相互構成部間に情報を送信及び受信することができる。
【００５１】
各副階層での動作を簡略に説明すると、下記の通りである。ＰＬＣＰ副階層２１０は、ＭＡＣ副階層２２０とＰＭＤ副階層２００との間でＭＡＣ階層の指示によってＭＡＣ副階層２２０から受けたＭＰＤＵ(ＭＡＣ  Ｐｒｏｔｏｃｏｌ  Ｄａｔａ  Ｕｎｉｔ)をＰＭＤ副階層２００に伝達し、またはＰＭＤ副階層２００から来るフレームをＭＡＣ副階層２２０に伝達する。ＰＭＤ副階層２００は、ＰＬＣＰの下位階層であり、無線媒体を介した複数のＳＴＡ間でのデータ送信及び受信を実行することができる。ＭＡＣ副階層２２０が伝達したＭＰＤＵ(ＭＡＣ  ｐｒｏｔｏｃｏｌ  ｄａｔａ  ｕｎｉｔ)は、ＰＬＣＰ副階層２１０でＰＳＤＵ(Ｐｈｙｓｉｃａｌ  Ｓｅｒｖｉｃｅ  Ｄａｔａ  Ｕｎｉｔ)という。ＭＰＤＵは、ＰＳＤＵと類似するが、複数のＭＰＤＵをアグリゲーション(ａｇｇｒｅｇａｔｉｏｎ)したＡ−ＭＰＤＵ(ａｇｇｒｅｇａｔｅｄ  ＭＰＤＵ)が伝達された場合、各々のＭＰＤＵとＰＳＤＵは、互いに異なる。
【００５２】
ＰＬＣＰ副階層２１０は、ＰＳＤＵをＭＡＣ副階層２２０から受けてＰＭＤ副階層２００に伝達する過程で物理階層の送受信機により必要な情報を含む付加フィールドを付ける。このとき、付加されるフィールドは、ＰＳＤＵにＰＬＣＰプリアンブル(ｐｒｅａｍｂｌｅ)、ＰＬＣＰヘッダ(ｈｅａｄｅｒ)、コンボリューションエンコーダをゼロ状態(ｚｅｒｏ  ｓｔａｔｅ)に返すのに必要なテールビット(Ｔａｉｌ  Ｂｉｔｓ)などである。ＰＬＣＰプリアンブルは、ＰＳＤＵが送信される前に受信機に同期化機能とアンテナダイバーシティを準備するようにする役割をすることができる。データフィールドは、ＰＳＤＵにパディングビット、スクランブラを初期化するためのビットシーケンスを含むサービスフィールド及びテールビットが付けられたビットシーケンスがエンコーディングされたコード化シーケンス(ｃｏｄｅｄ  ｓｅｑｕｅｎｃｅ)を含むことができる。このとき、エンコーディング方式は、ＰＰＤＵを受信するＳＴＡでサポートされるエンコーディング方式によって、ＢＣＣ(Ｂｉｎａｒｙ  Ｃｏｎｖｏｌｕｔｉｏｎａｌ  Ｃｏｄｉｎｇ)エンコーディングまたはＬＤＰＣ(Ｌｏｗ  Ｄｅｎｓｉｔｙ  Ｐａｒｉｔｙ  Ｃｈｅｃｋ)エンコーディングのうち一つを選択することができる。ＰＬＣＰヘッダには送信するＰＰＤＵ(ＰＬＣＰ  Ｐｒｏｔｏｃｏｌ  Ｄａｔａ  Ｕｎｉｔ)に対する情報を含むフィールドが含まれることができる。
【００５３】
ＰＬＣＰ副階層２１０では、ＰＳＤＵに前述したフィールドを付加してＰＰＤＵ(ＰＬＣＰ  Ｐｒｏｔｏｃｏｌ  Ｄａｔａ  Ｕｎｉｔ)を生成してＰＭＤ副階層２００を経由して受信ステーションに送信し、受信ステーションは、ＰＰＤＵを受信してＰＬＣＰプリアンブル、ＰＬＣＰヘッダからデータ復元に必要な情報を得て復元する。
【００５４】
図３は、無線ＬＡＮにおけるスキャニング方法を示す概念図である。
【００５５】
図３を参照すると、スキャニング方法は、パッシブスキャニング(ｐａｓｓｉｖｅ  ｓｃａｎｎｉｎｇ)３００とアクティブスキャニング(ａｃｔｉｖｅ  ｓｃａｎｎｉｎｇ)３５０とに区分されることができる。
【００５６】
図３の左側を参照すると、パッシブスキャニング３００は、ＡＰ３００が周期的にブロードキャストするビーコンフレーム３３０により実行されることができる。無線ＬＡＮのＡＰ３１０は、ビーコンフレーム３３０を特定周期(例えば、１００ｍｓｅｃ)毎にｎｏｎ−ＡＰ  ＳＴＡ３４０にブロードキャストする。ビーコンフレーム３３０には現在のネットワークに対する情報が含まれることができる。ｎｏｎ−ＡＰ  ＳＴＡ３４０は、周期的にブロードキャストされるビーコンフレーム３３０を受信することで、ネットワーク情報を受信して認証/結合(ａｕｔｈｅｎｔｉｃａｔｉｏｎ/ａｓｓｏｃｉａｔｉｏｎ)過程を実行するＡＰ３１０とチャネルに対するスキャニングを実行することができる。
【００５７】
パッシブスキャニング３００は、ｎｏｎ−ＡＰ  ＳＴＡ３４０がフレームを送信する必要が無しでＡＰ３１０で送信されるビーコンフレーム３３０を受信すればよい。したがって、パッシブスキャニング３００は、ネットワークでデータ送信/受信により発生される全体的なオーバーヘッドが小さいという長所がある。しかし、ビーコンフレーム３３０の周期に比例して受動的にスキャニングを実行せざるを得ないため、スキャニングの実行にかかる時間が増えるという短所がある。ビーコンフレームに対する具体的な説明は、２０１１年１１月に開示されたＩＥＥＥ  Ｄｒａｆｔ  Ｐ８０２.１１−ＲＥＶｍｂＴＭ/Ｄ１２、Ｎｏｖｅｍｂｅｒ２０１１‘ＩＥＥＥ  Ｓｔａｎｄａｒｄ  ｆｏｒ  Ｉｎｆｏｒｍａｔｉｏｎ  Ｔｅｃｈｎｏｌｏｇｙ  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ１１：Ｗｉｒｅｌｅｓｓ  ＬＡＮ  Ｍｅｄｉｕｍ  Ａｃｃｅｓｓ  Ｃｏｎｔｒｏｌ(ＭＡＣ)  ａｎｄ  Ｐｈｙｓｉｃａｌ  Ｌａｙｅｒ(ＰＨＹ)Ｓｐｅｃｉｆｉｃａｔｉｏｎｓ(以下、ＩＥＥＥ８０２.１１)’の８.３.３.２  ｂｅａｃｏｎ  ｆｒａｍｅに開示されている。ＩＥＥＥ８０２.１１ａｉでは追加的に他のフォーマットのビーコンフレームを使用することもでき、このようなビーコンフレームをＦＩＬＳ(ｆａｓｔ  ｉｎｉｔｉａｌ  ｌｉｎｋ  ｓｅｔｕｐ)ビーコンフレームという。また、測定パイロットフレーム(ｍｅａｓｕｒｅｍｅｎｔ  ｐｉｌｏｔ  ｆｒａｍｅ)は、ビーコンフレームの一部情報のみを含むフレームであり、スキャニング手順で使用することができる。測定パイロットフレームは、ＩＥＥＥ８０２.１１  ８.５.８.３  ｍｅａｓｕｒｅｍｅｎｔ  ｐｉｌｏｔ  ｆｏｒｍａｔに開示されている。
【００５８】
また、ＦＩＬＳ探索フレーム(ＦＩＬＳ  ｄｉｓｃｏｖｅｒｙ  ｆｒａｍｅ)が定義されることもできる。ＦＩＬＳ探索フレームは、各ＡＰでビーコンフレームの送信周期で送信されるフレームであり、ビーコンフレームより短い周期で送信されるフレームである。即ち、ＦＩＬＳ探索フレームは、ビーコンフレームの送信周期より小さい値の周期で送信されるフレームである。ＦＩＬＳ探索フレームは、探知フレームを送信するＡＰの識別子情報(ＳＳＩＤ、ＢＳＳＩＤ)を含むことができる。ＦＩＬＳ探索フレームは、ＳＴＡにビーコンフレームが送信される前に送信されることで、該当チャネルにＡＰが存在することをＳＴＡが予め探索するようにすることができる。一つのＡＰでＦＩＬＳ探索フレームが送信される間隔をＦＩＬＳ探索フレーム送信間隔という。ＦＩＬＳ探索フレームにはビーコンフレームに含まれる情報の一部が含まれて送信されることができる。
【００５９】
図３の右側を参照すると、アクティブスキャニング３５０は、ｎｏｎ−ＡＰ  ＳＴＡ３９０からプローブ要求フレーム３７０をＡＰ３６０に送信して主導的にスキャニングを実行する方法をいう。
【００６０】
ＡＰ３６０では、ｎｏｎ−ＡＰ  ＳＴＡ３９０からプローブ要求フレーム３７０を受信した後、フレーム衝突(ｆｒａｍｅ  ｃｏｌｌｉｓｉｏｎ)を防止するためにランダム時間待った後、プローブ応答フレーム３８０にネットワーク情報を含んでｎｏｎ−ＡＰ  ＳＴＡ３９０に送信することができる。ｎｏｎ−ＡＰ  ＳＴＡ３９０は、受信したプローブ応答フレーム３８０に基づいてネットワーク情報を得てスキャニング過程を中止することができる。
【００６１】
アクティブスキャニング３５０の場合、ｎｏｎ−ＡＰ  ＳＴＡ３９０が主導的にスキャニングを実行するため、スキャニングに使われる時間が短いという長所がある。しかし、ｎｏｎ−ＡＰ  ＳＴＡ３９０でプローブ要求フレーム３７０を送信しなければならないため、フレーム送信及び受信のためのネットワークオーバーヘッドが増加するという短所がある。プローブ要求フレーム３７０は、ＩＥＥＥ  ８０２.１１  ８.３.３.９に開示されており、プローブ応答フレーム３８０は、ＩＥＥＥ  ８０２.１１  ８.３.３.１０に開示されている。
【００６２】
スキャニングが終わった後、ＡＰとＳＴＡは、認証(ａｕｔｈｅｎｔｉｃａｔｉｏｎ)と結合(ａｓｓｏｃｉａｔｉｏｎ)過程を実行することができる。
【００６３】
図４は、ＡＰとＳＴＡのスキャニング後、認証及び結合過程を示す概念図である。
【００６４】
図４を参照すると、パッシブ/アクティブスキャニングを実行した後、スキャニングされたＡＰのうち一つのＡＰと認証及び結合を実行することができる。
【００６５】
認証(ａｕｔｈｅｎｔｉｃａｔｉｏｎ)及び結合(ａｓｓｏｃｉａｔｉｏｎ)過程は、例えば、２方向ハンドシェイキング(２−ｗａｙ  ｈａｎｄｓｈａｋｉｎｇ)を介して実行されることができる。図４の左側は、パッシブスキャニング後、認証及び結合過程を示す概念図であり、図４の右側は、アクティブスキャニング後、認証及び結合過程を示す概念図である。
【００６６】
認証及び結合過程は、アクティブスキャニングを使用したかまたはパッシブスキャニングを使用したかと関係なしで、認証要求フレーム(ａｕｔｈｅｎｔｉｃａｔｉｏｎ  ｒｅｑｕｅｓｔ  ｆｒａｍｅ)４１０/認証応答フレーム(ａｕｔｈｅｎｔｉｃａｔｉｏｎ  ｒｅｓｐｏｎｓｅ  ｆｒａｍｅ)４２０、及び結合要求フレーム(ａｓｓｏｃｉａｔｉｏｎ  ｒｅｑｕｅｓｔ  ｆｒａｍｅ)  ４３０/結合応答フレーム(ａｓｓｏｃｉａｔｉｏｎ  ｒｅｓｐｏｎｓｅ  ｆｒａｍｅ)４４０をＡＰ４００、４５０とｎｏｎ−ＡＰ  ＳＴＡ４０５、４５５との間で交換することで同じく実行されることができる。
【００６７】
認証過程は、ｎｏｎ−ＡＰ  ＳＴＡ４０５、４５５から認証要求フレーム４１０をＡＰ４００、４５０に送信して実行されることができる。認証要求フレーム４１０に対する応答として認証応答フレーム４２０をＡＰ４００、４５０からｎｏｎ−ＡＰ  ＳＴＡ４０５、４５５に送信することができる。認証フレームフォーマット(ａｕｔｈｅｎｔｉｃａｔｉｏｎ  ｆｒａｍｅ  ｆｏｒｍａｔ)に対してはＩＥＥＥ  ８０２.１１  ８.３.３.１１に開示されている。
【００６８】
結合過程(ａｓｓｏｃｉａｔｉｏｎ)は、ｎｏｎ−ＡＰ  ＳＴＡ４０５、４５５から結合要求フレーム(ａｓｓｏｃｉａｔｉｏｎ  ｒｅｑｕｅｓｔ  ｆｒａｍｅ)４３０をＡＰ４００、４５０に送信して実行されることができる。結合要求フレーム４３０に対する応答として結合応答フレーム４４０をＡＰ  ＡＰ４００、４５０からｎｏｎ−ＡＰ  ＳＴＡ４０５、４５５に送信できる。送信された結合要求フレーム４３０にはｎｏｎ−ＡＰ  ＳＴＡ４０５、４５５の性能(ｃａｐａｂｉｌｉｔｙ)に対する情報が含まれている。ｎｏｎ−ＡＰ  ＳＴＡ４０５、４５５の性能情報に基づいて、ＡＰ４００、４５０は、ｎｏｎ−ＡＰ  ＳＴＡ４０５、４５５に対してサポート可能かどうかを判断することができる。サポート可能な場合、ＡＰ４００、４５０は、結合応答フレーム４４０に結合要求フレーム４３０に対する受諾可否とその理由、自分がサポート可能な性能情報(ｃａｐａｂｉｌｉｔｙ  ｉｎｆｏｒｍａｔｉｏｎ)を含んでｎｏｎ−ＡＰ  ＳＴＡ４０５、４５５に送信することができる。結合フレームフォーマット(ａｓｓｏｃｉａｔｉｏｎ  ｆｒａｍｅ  ｆｏｒｍａｔ)に対してはＩＥＥＥ  ８０２.１１  ８.３.３.５/８.３.３.６に開示されている。
【００６９】
もし、結合ステップまで実行された場合、以後正常なデータの送信及び受信が実行されるようになる。結合が実行されない場合、結合が実行されない理由に基づいて再び結合が実行され、または他のＡＰに結合が実行されることができる。
【００７０】
図５は、アクティブスキャニング手順(ａｃｔｉｖｅ  ｓｃａｎｎｉｎｇ  ｐｒｏｃｅｄｕｒｅ)に対する概念図である。
【００７１】
図５を参照すると、アクティブスキャニング手順は、下記のようなステップに実行されることができる。
【００７２】
(１)ＳＴＡ５００がスキャニング手順を実行する準備ができたかどうかを判断する。
【００７３】
ＳＴＡ５００は、例えば、プローブ遅延時間(ｐｒｏｂｅ  ｄｅｌａｙ  ｔｉｍｅ)が満了(ｅｘｐｉｒｅ)され、または特定なシグナリング情報(例えば、ＰＨＹ−ＲＸＳＴＡＲＴ.ｉｎｄｉｃａｔｉｏｎ  ｐｒｉｍｉｔｉｖｅ)が受信される時まで待ってアクティブスキャニングを実行することができる。
【００７４】
プローブ遅延時間は、ＳＴＡ５００がアクティブスキャニングを実行する時、プローブ要求フレーム５１０を送信する前に発生される遅延である。ＰＨＹ−ＲＸＳＴＡＲＴ.ｉｎｄｉｃａｔｉｏｎ  ｐｒｉｍｉｔｉｖｅは、物理(ＰＨＹ)階層からローカルＭＡＣ(ｍｅｄｉｕｍ  ａｃｃｅｓｓ  ｃｏｎｔｒｏｌ)階層に送信される信号である。ＰＨＹ−ＲＸＳＴＡＲＴ.ｉｎｄｉｃａｔｉｏｎ  ｐｒｉｍｉｔｉｖｅは、ＰＬＣＰ(ｐｈｙｓｉｃａｌ  ｌａｙｅｒ  ｃｏｎｖｅｒｇｅｎｃｅ  ｐｒｏｔｏｃｏｌ)で有効なＰＬＣＰヘッダを含むＰＰＤＵ(ＰＬＣＰ  ｐｒｏｔｏｃｏｌ  ｄａｔａ  ｕｎｉｔ)を受信したという情報をＭＡＣ階層にシグナリングすることができる。
【００７５】
(２)基本接続(ｂａｓｉｃ  ａｃｃｅｓｓ)を実行する。
【００７６】
８０２.１１ＭＡＣ階層では、例えば、コンテンションベースの関数である分散調整関数(ｄｉｓｔｒｉｂｕｔｅｄ  ｃｏｏｒｄｉｎａｔｉｏｎ  ｆｕｎｃｔｉｏｎ、ＤＣＦ)を使用して複数のＳＴＡが無線媒体を共有することができる。ＤＣＦは、接続プロトコルとして搬送波検知多重接続及び衝突回避(ｃａｒｒｉｅｒ  ｓｅｎｓｅ  ｍｕｌｔｉｐｌｅ  ａｃｃｅｓｓ/ｃｏｌｌｉｓｉｏｎ  ａｖｏｉｄａｎｃｅ、ＣＳＭＡ/ＣＡ)を使用してバックオフ(ｂａｃｋ−ｏｆｆ)方式を介してＳＴＡ間の出動を防止することができる。ＳＴＡ５００は、基本接続方法を使用してプローブ要求フレーム５１０をＡＰ５６０、５７０に送信することができる。
【００７７】
(３)ＭＬＭＥ−ＳＣＡＮ.要求プリミティブ(ｒｅｑｕｅｓｔ  ｐｒｉｍｉｔｉｖｅ)に含まれているＡＰ５６０、５７０を特定するための情報(例えば、ＳＳＩＤ(ｓｅｒｖｉｃｅ  ｓｅｔ  ｉｄｅｎｔｉｆｉｃａｔｉｏｎ)及びＢＳＳＩＤ(ｂａｓｉｃ  ｓｅｒｖｉｃｅ  ｓｅｔ  ｉｄｅｎｔｉｆｉｃａｔｉｏｎ)情報)をプローブ要求フレーム５１０に含んで送信することができる。
【００７８】
ＢＳＳＩＤは、ＡＰを特定するための指示子であり、ＡＰのＭＡＣアドレスに該当する値を有することができる。ＳＳＩＤ(ｓｅｒｖｉｃｅ  ｓｅｔ  ｉｄｅｎｔｉｆｉｃａｔｉｏｎ)は、ＳＴＡを運用する人が読み取ることができるＡＰを特定するためのネットワーク名称である。ＢＳＳＩＤ及び/またはＳＳＩＤは、ＡＰを特定するために使われることができる。
【００７９】
ＳＴＡ５００は、ＭＬＭＥ−ＳＣＡＮ.要求プリミティブ(ｒｅｑｕｅｓｔ  ｐｒｉｍｉｔｉｖｅ)により含まれているＡＰ５６０、５７０を特定するための情報に基づいてＡＰを特定することができる。特定されたＡＰ５６０、５７０は、プローブ応答フレーム５４０、５５０をＳＴＡ５００に送信することができる。ＳＴＡ５００は、プローブ要求フレーム５１０にＳＳＩＤ及びＢＳＳＩＤ情報を含んで送信することで、プローブ要求フレーム５１０をユニキャスト、マルチキャストまたはブロードキャストすることができる。ＳＳＩＤ及びＢＳＳＩＤ情報を使用してプローブ要求フレーム５１０をユニキャスト、マルチキャストまたはブロードキャストする方法に対しては図５で追加的に詳述する。
【００８０】
例えば、ＭＬＭＥ−ＳＣＡＮ.要求プリミティブ(ｒｅｑｕｅｓｔ  ｐｒｉｍｉｔｉｖｅ)にＳＳＩＤリストが含まれる場合、ＳＴＡ５００は、プローブ要求フレーム５１０にＳＳＩＤリストを含んで送信することができる。ＡＰ５６０、５７０は、プローブ要求フレーム５１０を受信し、受信されたプローブ要求フレーム５１０に含まれているＳＳＩＤリストに含まれているＳＳＩＤを判断してＳＴＡ５００にプローブ応答フレーム５４０、５５０を送信するかどうかを決定することができる。
【００８１】
(４)プローブタイマを０に初期化した後、タイマを動作させる。
【００８２】
プローブタイマは、最小チャネル時間(ＭｉｎＣｈａｎｎｅｌｔｉｍｅ)５２０及び最大チャネル時間(ＭａｘＣｈａｎｎｅｌｔｉｍｅ)５３０をチェックするために使われることができる。最小チャネル時間５２０及び最大チャネル時間５３０は、ＳＴＡ５００のアクティブスキャニング動作を制御するために使われることができる。
【００８３】
最小チャネル時間５２０は、ＳＴＡ５００がアクティブスキャニングを実行するチャネルを変更するための動作を実行するために使われることができる。例えば、ＳＴＡ５００は、プローブタイマが最小チャネル時間５２０に達する時まで他のフレーム(例えば、プローブ応答フレーム５４０、５５０の送信を探知することができない場合、ＳＴＡ５００は、スキャニングチャネルを移動して他のチャネルでスキャニングを実行することができる。ＳＴＡ５００は、プローブタイマが最小チャネル時間５２０に達する時まで他のフレームの送信を探知した場合、プローブタイマが最大チャネル時間５３０に達する時までチャネルをモニタリングすることができる。プローブタイマが最大チャネル時間５３０に達すると、ＳＴＡは、受信されたプローブ応答フレーム５４０、５５０を処理することができる。
【００８４】
ＳＴＡ５００は、プローブタイマが最小チャネル時間５２０に達する前までＰＨＹ−ＣＣＡ.指示プリミティブ(ｉｎｄｉｃａｔｉｏｎ  ｐｒｉｍｉｔｉｖｅ)を探索して最小チャネル時間５２０前まで他のフレーム(例えば、プローブ応答フレーム５４０、５５０)の送信可否を探知することができる。
【００８５】
ＰＨＹ−ＣＣＡ.指示プリミティブは、物理階層からＭＡＣ階層に媒体(ｍｅｄｉｕｍ)の状態に対する情報を送信することができる。ＰＨＹ−ＣＣＡ.指示プリミティブは、チャネルが可用でない場合はビジー(ｂｕｓｙ)、チャネルが可用である場合はアイドル(ｉｄｌｅ)というチャネル状態パラメータを使用して現在チャネルの状態をＳＴＡ５００に知らせることができる。ＳＴＡ５００は、ＰＨＹ−ＣＣＡ.指示プリミティブがビジー(ｂｕｓｙ)と探索される場合、ＳＴＡ５００に受信されたプローブ応答フレーム５４０、５５０が存在すると判断し、ＰＨＹ−ＣＣＡ.指示プリミティブがアイドル(ｉｄｌｅ)と探索される場合、ＳＴＡ５００に受信されたプローブ応答フレーム５４０、５５０が存在しないと判断することができる。
【００８６】
ＰＨＹ−ＣＣＡ.指示プリミティブがアイドル(ｉｄｌｅ)と探索される場合、ＳＴＡ５００は、ＮＡＶ(ｎｅｔ  ａｌｌｏｃａｔｉｏｎ  ｖｅｃｔｏｒ)を０に設定し、次のチャネルをスキャニングすることができる。ＳＴＡ５００は、ＰＨＹ−ＣＣＡ.指示プリミティブがビジー(ｂｕｓｙ)と探索される場合、プローブタイマが最大チャネル時間５３０に達した後に受信されたプローブ応答フレーム５４０、５５０に対する処理を実行することができる。受信されたプローブ応答フレーム５４０、５５０に対する処理後、ＮＡＶ(ｎｅｔ  ａｌｌｏｃａｔｉｏｎ  ｖｅｃｔｏｒ)を０に設定し、ＳＴＡ５００は、次のチャネルをスキャニングすることができる。
【００８７】
(５)チャネルリスト(ＣｈａｎｎｅｌＬｉｓｔ)に含まれている全てのチャネルがスキャニングされる場合、ＭＬＭＥは、ＭＬＭＥ−ＳＣＡＮ.確認プリミティブ(ｃｏｎｆｉｒｍ  ｐｒｉｍｉｔｉｖｅ)をシグナリングすることができる。ＭＬＭＥ−ＳＣＡＮ.確認プリミティブは、スキャニング過程で取得した全ての情報を含むＢＳＳＤｅｓｃｒｉｐｔｉｏｎＳｅｔを含むことができる。
【００８８】
ＳＴＡ５００がアクティブスキャニング方法を使用する場合、プローブタイマが最小チャネル時間に達する時までＰＨＹ−ＣＣＡ.指示プリミティブのパラメータがビジー(ｂｕｓｙ)かどうかを判断するモニタリングを実行しなければならない。
【００８９】
前述したＭＬＭＥ−ＳＣＡＮ.要求プリミティブ(ｒｅｑｕｅｓｔ  ｐｒｉｍｉｔｉｖｅ)に含まれる具体的な情報は、下記の通りである。ＳＴＡがスキャニングを実行するためには、ＭＬＭＥでＭＬＭＥ−ＳＣＡＮ.要求プリミティブを受信することができる。ＭＬＭＥ−ＳＣＡＮ.要求プリミティブは、ＳＭＥにより生成されたプリミティブである。ＭＬＭＥ−ＳＣＡＮ.要求プリミティブは、ＳＴＡが結合する他のＢＳＳが存在するかどうかを判断するために使われることができる。
【００９０】
ＭＬＭＥ−ＳＣＡＮ.要求プリミティブは、具体的にＢＳＳＴｙｐｅ、ＢＳＳＩＤ、ＳＳＩＤ、ＳｃａｎＴｙｐｅ、ＰｒｏｂｅＤｅｌａｙ、ＣｈａｎｎｅｌＬｉｓｔ、ＭｉｎＣｈａｎｎｅｌＴｉｍｅ、ＭａｘＣｈａｎｎｅｌＴｉｍｅ、ＲｅｑｕｅｓｔＩｎｆｏｒｍａｔｉｏｎ、ＳＳＩＤ  Ｌｉｓｔ、ＣｈａｎｎｅｌＵｓａｇｅ、ＡｃｃｅｓｓＮｅｔｗｏｒｋＴｙｐｅ、ＨＥＳＳＩＤ、ＭｅｓｈＩＤ、ＶｅｎｄｏｒＳｐｅｃｉｆｉｃＩｎｆｏのような情報を含むことができる。ＭＬＭＥ−ＳＣＡＮ.要求プリミティブに対する具体的な説明は、２０１１年１１月に開示されたＩＥＥＥ  Ｄｒａｆｔ  Ｐ８０２.１１−ＲＥＶｍｂＴＭ/Ｄ１２、Ｎｏｖｅｍｂｅｒ２０１１‘ＩＥＥＥ  Ｓｔａｎｄａｒｄ  ｆｏｒ  Ｉｎｆｏｒｍａｔｉｏｎ  Ｔｅｃｈｎｏｌｏｇｙ  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ１１：Ｗｉｒｅｌｅｓｓ  ＬＡＮ  Ｍｅｄｉｕｍ  Ａｃｃｅｓｓ  Ｃｏｎｔｒｏｌ(ＭＡＣ)  ａｎｄ  Ｐｈｙｓｉｃａｌ  Ｌａｙｅｒ(ＰＨＹ)Ｓｐｅｃｉｆｉｃａｔｉｏｎｓ’の６.３.３.２ＭＬＭＥ−ＳＣＡＮ.ｒｅｑｕｅｓｔに開示されている。
【００９１】
図６は、ＤＣＦベースのチャネルアクセス過程を示す概念図である。
【００９２】
ＤＣＦベースのチャネルアクセスで、ＳＴＡは、搬送波検知メカニズム(ｃａｒｒｉｅｒ  ｓｅｎｓｉｎｇ  ｍｅｃｈａｎｉｓｍ)を介して媒体の使用可否を判断することができる。ＤＩＦＳ(ＤＣＦ  ｉｎｔｅｒ  ｆｒａｍｅ  ｓｙｍｂｏｌ)期間以上に媒体が使用中でない場合(即ち、ＤＩＦＳ中にチャネルがアイドル(ｉｄｌｅ)の場合)、ＳＴＡは、送信が間近であるＭＰＤＵ(ＭＡＣ  ｐｒｏｔｏｃｏｌ  ｄａｔａ  ｕｎｉｔ)を送信することができる。
【００９３】
それに対し、ＤＩＦＳ期間中に媒体が使用中である場合(即ち、ＤＩＦＳ中にチャネルがビジー(ｂｕｓｙ)の場合)、ＳＴＡは、ランダムバックオフアルゴリズム(ｒａｎｄｏｍ  ｂａｃｋｏｆｆ  ａｌｇｏｒｉｔｈｍ)によりバックオフ時間を設定することができる。
【００９４】
バックオフ時間は、チャネルが一定時間(例えば、ＤＩＦＳ)待った後、フレームを送信する前に待つ時間であって、バックオフ時間は、以下の数式のように定義されることができる。
【００９５】
【数１】
0006456951.tif 000002
【００９６】
Ｒａｎｄｏｍ()は、[０,ＣＷ]間隔で均等分布で選択される疑似ランダム整数(ｐｓｅｕｄｏ−ｒａｎｄｏｍ  ｉｎｔｅｇｅｒ)を算出する関数である。ＣＷは、ＣＷＭｉｎ以上ａＣＷｍａｘ以下の整数から選択されることができる。ａＣＷＭｉｎ及びａＣＷｍａｘは、物理特性(ＰＨＹ  ｃｈａｒａｃｔｅｒｉｓｔｉｃｓ)によって決定されることができる。ａＳｌｏｔＴｉｍｅは、物理特性(ＰＨＹ  ｃｈａｒａｃｔｅｒｉｓｔｉｃｓ)によって定義された時間単位である。
【００９７】
ＳＴＡは、チャネルがアイドルであるかどうかを判断し、チャネルがアイドルの場合、バックオフ時間は、ＳｌｏｔＴｉｍｅ単位に減少させることができる。バックオフ時間がＳｌｏｔＴｉｍｅ単位に減少される前にＤＩＦＳに該当する区間中にチャネルがアイドルであるかどうかに対して再び判断できる。バックオフ時間が０になる場合、ＳＴＡは、チャネルアクセスを実行して媒体を介してフレームを送信することができる。
【００９８】
図７は、複数のＳＴＡのバックオフ手順を示す概念図である。
【００９９】
図７を参照すると、バックオフタイム(または、コンテンションウィンドウの大きさ)は、媒体がＤＩＦＳ期間中に対してアイドルであると判断された以後に減少されることができる。もし、媒体の活動が検知されない場合、ＳＴＡは、ＳｌｏｔＴｉｍｅ単位にバックオフ時間を減少させることができる。もし、媒体がバックオフスロット中に使用中であると判断される場合、ＳＴＡは、バックオフ時間の減少を延期させることができる。ＳＴＡのフレーム送信は、設定されたバックオフタイマが０になるたびに開始されることができる。
【０１００】
ＳＴＡ  Ａのフレーム送信以後にＳＴＡ  Ｂ、ＳＴＡ  Ｃ及びＳＴＡ  Ｄの各々は、設定したバックオフ時間を減少させることができる。ＳＴＡ  Ｂ、ＳＴＡ  Ｃ及びＳＴＡ  Ｄのうち、最も速くバックオフ時間が０に減少されたＳＴＡ  Ｃが媒体を介してフレームを送信することができる。ＳＴＡ  Ｃがフレームを送信する場合、ＳＴＡ  Ｂ及びＳＴＡ  Ｄのバックオフ時間の減少は、延期されることができる。
【０１０１】
また、ＤＣＦ送信方式にはデータフレームを送信する前に制御フレーム(ＲＴＳフレーム、ＣＴＳフレーム)を交換して予めチャネルを占有するＲＴＳ/ＣＴＳアクセスモードがある。このような方法は、ＳＴＡがデータフレーム送信時に発生できる衝突を相対的に短い制御フレームによる衝突に代替させることによって、チャネルの浪費を減らすことができる。ＲＴＳフレーム/ＣＴＳフレームに基づいているアクセスモードは後述する。
【０１０２】
ＭＡＣ階層で複数のＳＴＡが無線媒体を共有するための他の方法として、ＰＣＦ(ｐｏｉｎｔ  ｃｏｏｒｄｉｎａｔｉｏｎ  ｆｕｎｃｔｉｏｎ)が定義されることができる。前述したＤＣＦの場合、ＣＳＭＡ/ＣＡベースのチャネルアクセスである。したがって、ＳＴＡとＡＰとの間で送信されるデータの実時間送信が保障することができない。それに対し、ＰＣＦは、実時間データの送信時、ＱｏＳ(ｑｕａｌｉｔｙ  ｏｆ  ｓｅｒｖｉｃｅ)を提供するために使われることができる。ＰＣＦは、ＤＣＦと違って、非コンテンション方式の送信サービスである。ＰＣＦは、媒体の全体送信期間を独占して使用するものではなく、ＤＣＦベースのコンテンションベースのサービスと交代に使用することができる。ＰＣＦは、ＢＳＳのＡＰ内に具現されているポイントコーディネータ(ｐｏｉｎｔ  ｃｏｏｒｄｉｎａｔｏｒ)がポーリング(ｐｏｌｌｉｎｇ)方式を使用して各ＳＴＡが媒体を占有することができる権限を制御することができる。ＰＣＦベースの接続時のＩＦＳ(ｉｎｔｅｒ−ｆｒａｍｅ  ｓｐａｃｅ)であるＰＩＦＳは、ＤＣＦベースの接続時のＩＦＳであるＤＩＦＳより小さい値に設定されることができる。このような方法を使用することによってＰＣＦに基づいて媒体に接続するＳＴＡは、ＤＣＦに基づいてチャネルに接続するＳＴＡより優先権を有することができる。ＩＦＳは、フレーム間の間隔を示すものであって、ＳＴＡが媒体にアクセスするための優先順位を設定するために使われることができる。ＩＦＳは、具体的に下記のように定義されることができる。
【０１０３】
図８は、時間リソース上でフレーム間の間隔を示す概念図である。
【０１０４】
図８を参照すると、二つのフレーム間の間隔をＩＦＳ(ｉｎｔｅｒ  ｆｒａｍｅ  ｓｙｍｂｏｌ)であるということができる。ＳＴＡは、搬送波検知方法を使用することで、標準で定義したＩＦＳの時間区間中にチャネルが使われるかどうかを判断することができる。ＤＣＦを使用するＭＡＣ階層では複数個のＩＦＳを定義している。ＩＦＳにより無線媒体を占有するＳＴＡの優先権が決定されることができる。ＩＦＳ種類によるフレーム間の間隔は、下記の通りである。
【０１０５】
(１)ＳＩＦＳ(ｓｈｏｒｔ  ｉｎｔｅｒ  ｆｒａｍｅ  ｓｙｍｂｏｌ)：ＲＴＳフレーム/ＣＴＳフレーム、ＡＣＫフレームの送信時に使用。最高優先順位。
【０１０６】
(２)ＰＩＦＳ(ＰＣＦ  ＩＦＳ)：ＰＣＦに基づいて動作するＳＴＡのフレーム送信時に使用。
【０１０７】
(３)ＤＩＦＳ(ＤＣＦ  ＩＦＳ)：ＤＣＦに基づいて動作するＳＴＡのフレーム送信時に使用。
【０１０８】
(４)ＥＩＦＳ(ｅｘｔｅｎｄｅｄ  ＩＦＳ)：フレーム送信エラー発生時にのみ使用し、固定間隔でない。
【０１０９】
ＭＡＣ階層で、複数のＳＴＡが無線媒体を共有するための方法としてＤＣＦを使用する場合、多数の問題点が発生できる。例えば、ＤＣＦを使用する場合、複数のＳＴＡが同時にＡＰに初期アクセス(ｉｎｉｔｉａｌ  ａｃｃｅｓｓ)を実行すると、複数のＳＴＡにより送信されたフレームが衝突できる。また、ＤＣＦでは、送信優先順位に対する概念がない。したがって、ＳＴＡにより送信されるトラフィックデータに対するＱｏＳ(ｑｕａｌｉｔｙ  ｏｆ  ｓｅｒｖｉｃｅ)が保障されることができない。このような問題点を解決するために、ＩＥＥＥ８０２.１１ｅは、新しい調整関数(ｃｏｏｒｄｉｎａｔｉｏｎ  ｆｕｎｃｔｉｏｎ)であるＨＣＦ(ｈｙｂｒｉｄ  ｃｏｏｒｄｉｎａｔｉｏｎ  ｆｕｎｃｔｉｏｎ)を定義した。ＨＣＦは、チャネルアクセス方式としてＨＣＣＡ(ＨＣＦ  ｃｏｎｔｒｏｌｌｅｄ  ｃｈａｎｎｅｌ  ａｃｃｅｓｓ)とＥＤＣＡ(ｅｎｈａｎｃｅｄ  ｄｉｓｔｒｉｂｕｔｅｄ  ｃｈａｎｎｅｌ  ａｃｃｅｓｓ)を定義する。
【０１１０】
ＥＤＣＡとＨＣＣＡでは、フレームの送信優先順位を決定するためのトラフィックカテゴリ(ｔｒａｆｆｉｃ  ｃａｔｅｇｏｒｉｅｓ)が定義される。トラフィックカテゴリに基づいてチャネルにアクセスを実行する優先順位が決定されることができる。即ち、ＳＴＡにより送信されるトラフィックデータのカテゴリによって互いに異なるＣＷ及びＩＦＳが定義されることができる。互いに異なるＣＷ及びＩＦＳは、フレームに含まれているトラフィックデータのカテゴリによるチャネルアクセスの優先順位を決定することができる。
【０１１１】
例えば、トラフィックデータがである場合、該当トラフィックデータは、低い送信優先順位クラス(ｌｏｗ  ｐｒｉｏｒｉｔｙ  ｃｌａｓｓ)に割り当てられることができる。他の例として、トラフィックデータが無線ＬＡＮを介した音声通信の場合、該当トラフィックデータは、高い送信優先順位クラス(ｈｉｇｈ  ｐｒｉｏｒｉｔｙ  ｃｌａｓｓ)に割り当てられることができる。
【０１１２】
ＥＤＣＡを使用する場合、高い優先順位を有するトラフィックデータが低い優先順位を有するトラフィックデータに比べて相対的に多くの送信機会を有することができる。また、平均的に、高い優先順位トラフィックを送信するＳＴＡは、パケットを送信する前に低い優先順位トラフィックを送信するＳＴＡより少ない待機時間を有することができる。ＥＤＣＡで、送信優先順位は、低い優先順位トラフィックより高い優先順位トラフィックに短いＣＷを割り当て、また、ＤＣＦで定義されたフレーム間隔であるＩＦＳより短いａｒｂｉｔｒａｔｉｏｎ  ｉｎｔｅｒ−ｆｒａｍｅ  ｓｐａｃｅ)を割り当てることによって設定されることができる。また、ＥＤＣＡは、ＴＸＯＰ(Ｔｒａｎｓｍｉｔ  Ｏｐｐｏｒｔｕｎｉｔｙ)と呼ばれる期間中にＳＴＡがチャネルにコンテンション無しで接続するようにすることができる。ＴＸＯＰの最大期間を超えない限度で決められたＴＸＯＰ期間中に、ＳＴＡは、可能な限り多くのパケットを送信することができる。もし、一つのフレームがあまりにも長くて一回のＴＸＯＰ中に全て送信することができない場合、小さいフレームに切って送信できる。ＴＸＯＰの使用は、既存のＭＡＣが有した問題点である、低い送信率を有するＳＴＡが過度にチャネルを占有する状況を減らすことができる。
【０１１３】
以上のようなチャネルアクセス方法において、ＳＴＡが搬送波検知メカニズムに基づく媒体センシング時、媒体がアイドルであるかどうかを誤ってセンシングする場合、送信されるデータ間の衝突が発生できる。以下の図９では、ＳＴＡにより判断された媒体の状態が実際媒体の状態と異なる場合に対して開示する。
【０１１４】
図９は、ＳＴＡのＴＸＯＰを取得する方法を示す概念図である。
【０１１５】
図９を参照すると、ＱｏＳ送信に参加するＳＴＡは、ＥＤＣＡとＨＣＣＡなど、二つのチャネル接近方法を使用することで、一定の期間中にトラフィックを送信することができるＴＸＯＰを得ることができる。ＴＸＯＰ取得は、ＥＤＣＡコンテンションで成功し、またはアクセスポイントからＱｏＳ  ＣＦ−Ｐｏｌｌフレームを受けることで可能になる。ＥＤＣＡコンテンションで成功して取得したＴＸＯＰをＥＤＣＡ  ＴＸＯＰといい、ＡＰからＱｏＳ  ＣＦ−Ｐｏｌｌフレームを受けることで取得したＴＸＯＰをＰｏｌｌｅｄ  ＴＸＯＰという。このように、ＴＸＯＰという概念を利用して任意の一ＳＴＡがフレームを送信することができるように一定時間を付与し、または強制的に送信時間を制限することができる。ＴＸＯＰの送信開始時間と最大送信時間は、ＡＰにより決定されることができる。ＥＤＣＡ  ＴＸＯＰの場合はビーコンフレームにより、Ｐｏｌｌｅｄ  ＴＸＯＰの場合はＱｏＳ  ＣＦ−Ｐｏｌｌフレームにより、ＳＴＡに通報されることができる。
【０１１６】
以下、ＨＣＦで定義されたチャネルアクセス方式のうち、ＥＤＣＡに対して具体的に開示する。
【０１１７】
ＥＤＣＡ方式は、トラフィックデータに対して８個のユーザ優先順位を定義してチャネルアクセスを実行することができる。優先順位に基づいているＱｏＳデータフレームの送信のために、ＥＤＣＡは、４個のＡＣ(ａｃｃｅｓｓ  ｃａｔｅｇｏｒｙ)(ＡＣ_ＢＫ(ｂａｃｋｇｒｏｕｎｄ)、ＡＣ_ＢＥ(ｂｅｓｔ  ｅｆｆｏｒｔ)、ＡＣ_ＶＩ(ｖｉｄｅｏ)、ＡＣ_ＶＯ(ｖｏｉｃｅ))を定義している。ＥＤＣＡでは、互いに異なるユーザ優先順位を有してＭＡＣ階層に到着するトラフィックデータをＡＣに基づいて以下の<表１>のようにマッピングできる。
【０１１８】
表１は、ユーザ優先順位とＡＣとの間のマッピングを示す例示的な表である。
【０１１９】
【表１】
0006456951.tif 000003
【０１２０】
各々のＡＣに対して送信キューとＡＣパラメータが定義されることができる。互いに異なるように設定されたＡＣパラメータ値に基づいてＡＣ間の送信優先順位の差が具現されることができる。ＥＤＣＡは、ＡＣに属するフレームを送信するためのバックオフ手順において、ＤＣＦが使用するパラメータであるＤＩＦＳ、ＣＷｍｉｎ、ＣＷｍａｘの代りに、各々、ＡＩＦＳ[ＡＣ]、ＣＷｍｉｎ[ＡＣ]、ＣＷｍａｘ[ＡＣ]を使用することができる。ＡＣ別にバックオフ手順に使われるパラメータは、ビーコンフレームに載せてＡＰから各ＳＴＡに伝達されることができる。ＡＩＦＳ[ＡＣ]とＣＷｍｉｎ[ＡＣ]の値が小さいほど高い優先順位を有し、これによってチャネル接近遅延が短くなって、与えられたトラフィック環境でより多くの帯域が使用可能になる。
【０１２１】
複数のＳＴＡの各々により送信されたフレーム間に衝突が発生する場合、新しいバックオフカウンターを生成するＥＤＣＡのバックオフ手順(ｂａｃｋｏｆｆ  ｐｒｏｃｅｄｕｒｅ)は、既存のＤＣＦのバックオフ手順と類似する。既存のＤＣＦのバックオフ手順との相違点として、ＥＤＣＡでは互いに異なるＥＤＣＡパラメータに基づいてＡＣ別に差別化されたバックオフ手順が実行されることができる。ＥＤＣＡパラメータは、多様なユーザのチャネル接近の優先順位を差別化することができる。各ＡＣ別パラメータを含むＥＤＣＡパラメータ値の適切な設定は、ネットワーク性能を最適化する同時に、トラフィックの優先順位による送信効果を増加させることができる。したがって、ＡＰは、ネットワークに参加した全てのＳＴＡに公平な媒体接近保障のために、ＥＤＣＡパラメータに対する全体的な管理と調整機能を遂行しなければならない。
【０１２２】
図１０は、ＥＤＣＡチャネル参照モデルを示す概念図である。
【０１２３】
図１０を参照すると、８０２.１１ｅＭＡＣに定義された４個のＡＣ別送信キューは、一つのＳＴＡ内で無線媒体アクセスのために、個別的なＥＤＣＡコンテンションエンティティとして役割を遂行することができる。一つのＡＣは、自分のＡＩＦＳ値を有して独立されたバックオフカウンターを維持することができる。もし、同時にバックオフを終了したＡＣが一つ以上存在する場合、ＡＣ間の衝突は、仮想衝突ハンドラ(ｖｉｒｔｕａｌ  ｃｏｌｌｉｓｉｏｎ  ｈａｎｄｌｅｒ)により調整されることができる。最も高い優先順位を有するＡＣにあるフレームが先に送信され、他のＡＣは、コンテンションウィンドウ値を増加させることで、再びバックオフカウンターを更新する。
【０１２４】
ＴＸＯＰの開始は、ＥＤＣＡ規則によってチャネルに接近した時に発生する。もし、一つのＡＣに二つ以上のフレームが重なっている時、ＥＤＣＡ  ＴＸＯＰを得るようになる場合、ＥＤＣＡ  ＭＡＣは、複数個のフレームの送信を試みることができる。ＳＴＡが既に一フレームを送信し、残ったＴＸＯＰ時間内に同じＡＣにある次のフレームの送信とこれに対するＡＣＫまで受けることができる場合、ＳＴＡは、そのフレームに対する送信をＳＩＦＳ時間間隔後に試みるようになる。ＴＸＯＰ制限値は、ＡＰからＳＴＡへ伝達されることができる。もし、送信しようとするデータフレームの大きさがＴＸＯＰ制限値を超過するようになる場合、ＳＴＡは、そのフレームを複数個の小さいフレームに分割(ｆｒａｇｍｅｎｔａｔｉｏｎ)してＴＸＯＰ制限値を超過しない範囲内で送信することができる。
【０１２５】
図１１は、ＥＤＣＡのバックオフ手順を示す概念図である。
【０１２６】
図１１を参照すると、ＳＴＡで送信される各トラフィックデータは、優先順位を有してコンテンションするＥＤＣＡ方式に基づいてバックオフ手順を実行することができる。例えば、各トラフィックに付与される前述した表１のように、優先順位は、例えば、８個に区分されることができる。前述したように、一つのＳＴＡ内では、優先順位によって異なる出力キューを有し、各出力キューは、ＥＤＣＡの規則によって動作するようになる。各出力キューは、既存に使われたＤＩＦＳ(ＤＣＦ  Ｉｎｔｅｒｆｒａｍｅ  Ｓｐａｃｅ)の代りに各優先順位によって互いに異なるＡＩＦＳ(Ａｒｂｉｔｒａｔｉｏｎ  Ｉｎｔｅｒｆｒａｍｅ  Ｓｐａｃｅ)を使用してトラフィックデータを送信することができる。また、ＳＴＡで同じ時間に互いに異なる優先順位を有するトラフィックを送信しなければならない場合は、優先順位が高いトラフィックから送信することによって端末内での衝突を防止する。
【０１２７】
バックオフは、次のような状況で発生する。端末でフレームを送信する場合、送信衝突が発生して再送信が必要な場合に使われる。バックオフを開始するために、端末は、以下の数式２を利用して任意のバックオフ時間をバックオフタイマに設定する。
【０１２８】
【数２】
0006456951.tif 000004
【０１２９】
ここで、Ｒａｎｄｏｍ(ｉ)は、均等分布(ｕｎｉｆｏｒｍ  ｄｉｓｔｒｉｂｕｔｉｏｎ)を使用して０とＣＷ[ｉ]との間の任意の整数を発生する関数である。ＣＷ[ｉ]は、最小コンテンションウィンドウＣＷｍｉｎ[ｉ]と最大コンテンションウィンドウＣＷｍａｘ[ｉ]との間のコンテンションウィンドウであり、ｉは、トラフィック優先順位を示す。衝突が発生するたびに新しいコンテンションウィンドウＣＷｎｅｗ[ｉ]は、以前ウィンドウＣＷｏｌｄ[ｉ]を利用して以下の数式３を利用して計算される。
【０１３０】
【数３】
0006456951.tif 000005
【０１３１】
ここで、ＰＦは、ＩＥＥＥ８０２.１１ｅ標準に定義された手順によって計算される。ＣＷｍｉｎ[ｉ]とＡＩＦＳ[ｉ]、ＰＦ値は、管理フレームのＱｏＳパラメータセット要素(ＱｏＳ  ｐａｒａｍｅｔｅｒ  ｓｅｔ  ｅｌｅｍｅｎｔ)を介して送信されることができる。
【０１３２】
図１２は、既存の無線ＬＡＮ環境で送信または受信されるフレームの比率を示すグラフである。
【０１３３】
図１２の上段では、２.４ＧＨｚの周波数帯域(ｆｒｅｑｕｅｎｃｙ  ｂａｎｄ)で無線媒体を５分間モニタリングした全体フレームをフレームの性格によって分類したグラフを開示する。全体フレームは、ＡＣＫ(ａｃｋｎｏｗｌｅｄｇｅｍｅｎｔ)フレーム、データフレーム、制御(ｃｏｎｔｒｏｌ)フレーム、管理(ｍａｎａｇｅｍｅｎｔ)フレームのうち一つとして分類されることができる。
【０１３４】
図１２の上段のグラフを参照すると、全体フレームのうち管理フレームが占める比率が６５％程度である。即ち、２.４ＧＨｚ周波数帯域で無線媒体を介して送信または受信されるフレームのうち大部分のフレームは、管理フレームである。
【０１３５】
図１２の下段のグラフは、現在２.４ＧＨｚ周波数帯域で送信または受信される管理フレームを具体的に分類したものである。
【０１３６】
図１２の下段のグラフを参照すると、管理フレームの約２/３は、プローブ要求フレーム/プローブ応答フレームであり、１/３は、ビーコンフレーム及びその他の管理フレームである。
【０１３７】
密集された無線ＬＡＮ環境(ｄｅｎｓｅ  ＷＬＡＮ  ｅｎｖｉｒｏｎｍｅｎｔ)では、ＳＴＡ及びＡＰの個数が増えるようになる。したがって、全体フレームのうち、ＡＰとＳＴＡとの間の結合のためのプローブ応答フレーム/プローブ要求フレームまたはビーコンフレームのような管理フレームは、一層増加されることができる。密集された無線ＬＡＮ環境で管理フレームが増加される場合、管理フレームの送信のための過度な無線リソースが使われることができる。
【０１３８】
前述したように、密集された無線ＬＡＮ環境で、ＣＳＭＡ/ＣＡベースのランダムアクセスのために、ランダム番号は、０〜ＣＷ−１から選択されることができる。ランダム番号は、スロットタイム毎に減少されることができ、ランダム番号が０になる場合、ＳＴＡは、無線媒体を介してフレームを送信することができる。もし、ランダムアクセスを介して送信されたフレームに衝突が発生する場合、ランダム番号を選択するためのＣＷは、２倍増加できる。もし、ランダムアクセスを介してフレームの送信が成功する場合、ランダム番号を選択するためのＣＷは、最小ＣＷに減少できる。スタジアム(ｓｔａｄｉｕｍ)、講義ホール(ｌｅｃｔｕｒｅ  ｈａｌｌ)、展示場(ｅｘｈｉｂｉｔｉｏｎ  ｈａｌｌ)のように密集された無線ＬＡＮ環境では、多くの端末のチャネルアクセス試みによる無線リソース上の混雑(ｃｏｎｇｅｓｔｉｏｎ)が発生でき、それによるフレーム間の衝突が発生されることができる。
【０１３９】
節電モード(ｐｏｗｅｒ  ｓａｖｉｎｇ  ｍｏｄｅ)にあるＳＴＡは、ビーコンインターバル間でドーズ状態(ｄｏｚｅ  ｓｔａｔｅ)からアウェイク状態(ａｗａｋｅ  ｓｔａｔｅ)に切り替えられてチャネルアクセスを実行することができる。このような場合、ＳＴＡは、ビーコンフレームを受信することができず、チャネルアクセスを実行することもできる。ＳＴＡがビーコンフレームを介して変更されたＥＤＣＡパラメータ(ＥＤＣＡ  ｐａｒａｍｅｔｅｒ)を受信することができない場合、ＳＴＡは、変更されたＥＤＣＡパラメータの代りに以前に格納されたＥＤＣＡパラメータに基づいてチャネルアクセスを実行するようになる。
【０１４０】
ビーコンフレームを介して送信される変更されたＥＤＣＡパラメータは、トラフィック負荷(ｔｒａｆｆｉｃ  ｌｏａｄ)が多くなった密集された環境のためのものであり、ＳＴＡにより使われる以前ＥＤＣＡパラメータは、チャネル上の混雑を反映できないパラメータである。したがって、ＳＴＡが以前ＥＤＣＡパラメータに基づいてチャネルアクセスをする場合、チャネル上でフレーム間の衝突が誘発されることができる。以下、本発明の実施例では、ＳＴＡにＥＤＣＡパラメータに対する情報を送信し、ＳＴＡが受信したＥＤＣＡパラメータに基づいてチャネルアクセスする方法に対して開示する。
【０１４１】
図１３は、本発明の実施例に係る複数のＥＤＣＡパラメータセット設定要素(ｍｕｌｔｉｐｌｅ  ＥＤＣＡ  ｐａｒａｍｅｔｅｒ  ｓｅｔ  ｃｏｎｆｉｇｕｒａｔｉｏｎ  ｅｌｅｍｅｎｔ)を示す概念図である。
【０１４２】
図１３では、複数のＥＤＣＡパラメータセット設定要素は、ＥＤＣＡパラメータセットに対する情報を送信することができる。複数のＥＤＣＡパラメータセット設定要素は、ビーコンフレーム、プローブ応答フレームまたは結合応答フレームを介してＳＴＡに送信されることができる。
【０１４３】
複数のＥＤＣＡパラメータセット設定要素は、要素ＩＤ(ｅｌｅｍｅｎｔ  ＩＤ)１３００、長さ(ｌｅｎｇｔｈ)１３１０、ＱｏＳ情報(ＱｏＳ  ｉｎｆｏ)１３２０、全体セット個数及び現在セット情報１３３０、ＡＣ_ＢＥパラメータレコード(ｐａｒａｍｅｔｅｒ  ｒｅｃｏｒｄ)１３４０、ＡＣ_ＢＫパラメータレコード１３５０、ＡＣ_ＶＩパラメータレコード１３６０及びＡＣ_ＶＯパラメータレコード１３７０を含むことができる。ＡＣ_ＢＥパラメータレコード１３４０、ＡＣ_ＢＫパラメータレコード１３５０、ＡＣ_ＶＩパラメータレコード１３６０及びＡＣ_ＶＯパラメータレコード１３７０は、設定されたＥＤＣＡパラメータセットという用語で表現できる。
【０１４４】
要素ＩＤ１３００は、要素フォーマット(ｅｌｅｍｅｎｔ  ｆｏｒｍａｔ)の識別子情報を含むことができる。例えば、要素ＩＤは、複数のＥＤＣＡパラメータセット設定要素を指示することができる。
【０１４５】
長さ１３１０は、要素フォーマットの長さに対する情報を含むことができる。例えば、長さは、複数のＥＤＣＡパラメータセット設定要素の長さを指示することができる。
【０１４６】
ＱｏＳ情報１３２０は、ＡＣパラメータの変化回数に対する情報を含むことができる。
【０１４７】
ＡＣ_ＢＥパラメータレコード１３４０は、アクセスカテゴリがＢＥである場合、ＥＤＣＡパラメータ(例えば、ＡＩＦＳＮ、ＣＷｍｉｎ、ＣＷｍａｘ)に対する情報を含むことができる。
【０１４８】
ＡＣ_ＢＫパラメータレコード１３５０は、アクセスカテゴリがＢＫである場合、ＥＤＣＡパラメータに対する情報を含むことができる。
【０１４９】
ＡＣ_ＶＩパラメータレコード１３６０は、アクセスカテゴリがＶＩである場合、ＥＤＣＡパラメータに対する情報を含むことができる。
【０１５０】
ＡＣ_ＶＯパラメータレコード１３７０は、アクセスカテゴリがＶＯである場合、ＥＤＣＡパラメータに対する情報を含むことができる。
【０１５１】
全体セット個数及び現在セット情報１３３０は、複数のＥＤＣＡパラメータセットの個数に対する情報及び現在チャネルで使われる一つのＥＤＣＡパラメータセットに対する情報を含むことができる。以下、本発明の実施例では、一つのＥＤＣＡパラメータセットは、複数のアクセスカテゴリの各々に対するＥＤＣＡパラメータを含む単位を意味する。本発明の実施例では、複数のＥＤＣＡパラメータセットが定義されることができ、このうち一つのＥＤＣＡパラメータセットがＳＴＡのチャネルアクセスのために使われることができる。
【０１５２】
例えば、全体セット個数及び現在セット情報１３３０は、下位情報として全体セット個数１３８０及び現在ＥＤＣＡパラメータセット指示子１３９０を含むことができる。全体セット個数１３８０は、複数のＥＤＣＡパラメータセットの個数に対する情報を含み、現在ＥＤＣＡパラメータセット指示子１３９０は、現在チャネルで使われる一つのＥＤＣＡパラメータセットを指示することができる。
【０１５３】
ＳＴＡがチャネルアクセスのために使用する複数個(Ｎ個)のＥＤＣＡパラメータセットの各々は、下記のように定義されることができる。
【０１５４】
ＥＤＣＡパラメータセット１は、複数のＥＤＣＡパラメータセット設定要素に含まれている設定されたＥＤＣＡパラメータセット(ＡＣ_ＢＥパラメータレコード、ＡＣ_ＢＫパラメータレコード、ＡＣ_ＶＩパラメータレコード及びＡＣ_ＶＯパラメータレコード)に基づいて決定されたアクセスカテゴリの各々に対応される第１のＥＤＣＡパラメータ(例えば、ＣＷｍｉｎ、ＣＷｍａｘ等)を含むことができる。
【０１５５】
ＥＤＣＡパラメータセット２は、ＥＤＣＡパラメータセット１の第１のＥＤＣＡパラメータに基づいて決定されたアクセスカテゴリの各々に対する第２のＥＤＣＡパラメータを含むことができる。例えば、アクセスカテゴリの各々に対する第２のＥＤＣＡパラメータのうち、ＣＷｍｉｎは(ＥＤＣＡパラメータセット１のＣＷｍｉｎ)×２に決定され、ＣＷｍａｘは(ＥＤＣＡパラメータセット１のＣＷｍａｘ)×２に決定されることができる。
【０１５６】
ＥＤＣＡパラメータセット３は、ＥＤＣＡパラメータセット１の第１のＥＤＣＡパラメータに基づいて決定されたアクセスカテゴリの各々に対する第３のＥＤＣＡパラメータを含むことができる。例えば、アクセスカテゴリの各々に対する第３のＥＤＣＡパラメータのうち、ＣＷｍｉｎは(ＥＤＣＡパラメータセット１のＣＷｍｉｎ)×３に決定され、ＣＷｍａｘは(ＥＤＣＡパラメータセット１のＣＷｍａｘ)×３に決定されることができる。
【０１５７】
ＥＤＣＡパラメータセット４は、ＥＤＣＡパラメータセット１の第１のＥＤＣＡパラメータに基づいて決定されたアクセスカテゴリの各々に対する第４のＥＤＣＡパラメータを含むことができる。例えば、アクセスカテゴリの各々に対する第４のＥＤＣＡパラメータのうち、ＣＷｍｉｎは(ＥＤＣＡパラメータセット１のＣＷｍｉｎ)×４に決定され、ＣＷｍａｘは(ＥＤＣＡパラメータセット１のＣＷｍａｘ)×４に決定されることができる。
【０１５８】
即ち、ＥＤＣＡパラメータセットＮ(Ｎは、２以上の自然数)は、ＥＤＣＡパラメータセット１の第１のＥＤＣＡパラメータに基づいて決定されたアクセスカテゴリの各々に対する第ＮのＥＤＣＡパラメータを含むことができる。例えば、各々のＡＣに対して第ＮのＥＤＣＡパラメータのうち、ＣＷｍｉｎは(ＥＤＣＡパラメータセット１のＣＷｍｉｎ)×Ｎに決定され、ＣＷｍａｘは(ＥＤＣＡパラメータセット１のＣＷｍａｘ)×Ｎに決定されることができる。
【０１５９】
前述した複数のＥＤＣＡパラメータセットを決定するための数式は、一つの例示に過ぎず、他の多様な数式に基づいて複数のＥＤＣＡパラメータセットの各々が決定されることができる。ＥＤＣＡパラメータセット１に基づいて全体セットの個数を考慮して少なくとも一つの他のＥＤＣＡパラメータセットを決定する方法に対しては、予めＳＴＡとＡＰとの間で定義されることができる。即ち、ＳＴＡは、複数のＥＤＣＡパラメータセット設定要素に含まれている設定されたＥＤＣＡパラメータセット(ＡＣ_ＢＥパラメータレコード、ＡＣ_ＢＫパラメータレコード、ＡＣ_ＶＩパラメータレコード及びＡＣ_ＶＯパラメータレコード)に基づいてＥＤＣＡパラメータセット１を取得し、全体ＥＤＣＡパラメータセットの個数に対する情報を考慮して複数のＥＤＣＡパラメータセットを決定することができる。
【０１６０】
また、ＳＴＡは、現在チャネルで使われるＥＤＣＡパラメータセットに対する情報に基づいて複数のＥＤＣＡパラメータセットのうち、現在チャネルで使われる一つのＥＤＣＡパラメータセットを決定することができる。例えば、現在ＥＤＣＡパラメータセット指示子が２を指示する場合、ＳＴＡは、現在チャネルでＥＤＣＡパラメータセット２に対応される第２のＥＤＣＡパラメータを使用してチャネルアクセスできる。
【０１６１】
図１４は、本発明の実施例に係る複数のＥＤＣＡパラメータセット設定要素を示す概念図である。
【０１６２】
図１４では、複数のＥＤＣＡパラメータセット設定要素を介して設定されたＥＤＣＡパラメータセット(例えば、ＡＣ_ＢＥパラメータレコード、ＡＣ_ＢＫパラメータレコード、ＡＣ_ＶＩパラメータレコード及びＡＣ_ＶＯパラメータレコード)が送信されない場合にも複数のＥＤＣＡパラメータセットを決定する方法に対して開示する。
【０１６３】
複数のＥＤＣＡパラメータセット設定要素は、下位情報として全体セット個数１４００及び現在ＥＤＣＡパラメータセット指示子１４５０を含むことができる。複数のＥＤＣＡパラメータセット設定要素は、ビーコンフレーム、プローブ応答フレームまたは結合応答フレームを介してＳＴＡに送信されることができる。
【０１６４】
複数のＥＤＣＡパラメータセットは、デフォルトＥＤＣＡパラメータ(ａＣＷｍｉｎ,ａＣＷｍａｘ)に基づいて決定されることができる。以下の表２は、複数のＥＤＣＡパラメータセットの各々を決定する方法に対して開示する。
【０１６５】
【表２】
0006456951.tif 000006
【０１６６】
表２を参照すると、複数のＥＤＣＡパラメータセットの各々は、複数のＥＤＣＡパラメータセット設定要素に含まれている全体セット個数に対する情報を考慮して決定されることができる。例えば、全体セット個数がＮ個の場合、１、２、…、Ｎの各々を表２に代入することで、複数のＥＤＣＡパラメータセットの各々が決定されることができる。
【０１６７】
以下の表３乃至表６は、Ｎが４の場合、複数のデフォルトＥＤＣＡパラメータセットの各々を示す。
【０１６８】
【表３】
0006456951.tif 000007
【０１６９】
表３は、表２でＮに１を代入した場合であって、ＥＤＣＡパラメータセット１の第１のＥＤＣＡパラメータを示す。
【０１７０】
【表４】
0006456951.tif 000008
【０１７１】
表４は、表２でＮに２を代入した場合であって、ＥＤＣＡパラメータセット２の第２のＥＤＣＡパラメータを示す。
【０１７２】
【表５】
0006456951.tif 000009
【０１７３】
表５は、表２でＮに３を代入した場合であって、ＥＤＣＡパラメータセット３の第３のＥＤＣＡパラメータを示す。
【０１７４】
【表６】
0006456951.tif 000010
【０１７５】
表６は、表２でＮに４を代入した場合であって、ＥＤＣＡパラメータセット４の第４のＥＤＣＡパラメータを示す。
【０１７６】
即ち、ＥＤＣＡパラメータセットＮ(Ｎは、１以上の自然数)は、各々のＡＣに対してデフォルトＥＤＣＡパラメータに基づいて決定された第ＮのＥＤＣＡパラメータを含むことができる。例えば、各々のアクセスカテゴリに対して第ＮのＥＤＣＡパラメータセットのうち、ＣＷｍｉｎは(ＥＤＣＡパラメータセット１のＣＷｍｉｎ)×Ｎに決定され、ＣＷｍａｘは(ＥＤＣＡパラメータセット１のＣＷｍａｘ)×Ｎに決定されることができる。
【０１７７】
表２は、ＥＤＣＡパラメータセットＮを決定するための数式に対する一つの例示に過ぎない。即ち、表２に開示された数式だけでなく、多様な数式に基づき、デフォルトＥＤＣＡパラメータに基づいて複数のＥＤＣＡパラメータセットの各々が決定されることができる。デフォルトＥＤＣＡパラメータセットに基づいて全体セットの個数を考慮して少なくとも一つの他のＥＤＣＡパラメータセットを決定する方法に対しては、予めＳＴＡとＡＰとの間で定義されることができる。即ち、ＳＴＡは、デフォルトＥＤＣＡパラメータに対する情報及び全体ＥＤＣＡパラメータセットの個数に対する情報を考慮して表２のように予め定義された数式に基づいて複数のＥＤＣＡパラメータセットの各々を決定することができる。
【０１７８】
また、ＳＴＡは、現在チャネルで使われるＥＤＣＡパラメータセットに対する情報１４５０に基づいて決定された複数の(Ｎ個の)ＥＤＣＡパラメータセットのうち、現在チャネルで使われるＥＤＣＡパラメータを決定することができる。
【０１７９】
図１５は、本発明の実施例に係る複数のＥＤＣＡパラメータセット設定要素を示す概念図である。
【０１８０】
図１５では、複数のＥＤＣＡパラメータセット設定要素を介して送信されたスケーリング要素に基づいて複数のＥＤＣＡパラメータセットの各々を決定する方法に対して開示する。図１５では、図１４のように、複数のＥＤＣＡパラメータセット設定要素を介して設定されたＥＤＣＡパラメータセット(例えば、ＡＣ_ＢＥパラメータレコード、ＡＣ_ＢＫパラメータレコード、ＡＣ_ＶＩパラメータレコード及びＡＣ_ＶＯパラメータレコード)が送信されない場合を仮定する。
【０１８１】
複数のＥＤＣＡパラメータセット設定要素は、全体セット個数１５００及び現在セット情報１５２０及びスケーリング要素１５４０を含むことができる。複数のＥＤＣＡパラメータセット設定要素は、ビーコンフレーム、プローブ応答フレームまたは結合応答フレームを介してＳＴＡに送信されることができる。スケーリング要素１５４０は、複数のＥＤＣＡパラメータセットを決定するために使われることができる。例えば、スケーリング要素１５４０は、複数のＥＤＣＡパラメータセットの各々でＥＤＣＡパラメータをスケーリングするために使われることができる。スケーリング要素１５４０が００の場合、スケーリング値が１であり、スケーリング要素１５４０が０１の場合、スケーリング値が２であり、スケーリング要素１５４０が１０の場合、スケーリング値が３であり、スケーリング要素１５４０が１１の場合、スケーリング値が４である。
【０１８２】
デフォルトＥＤＣＡパラメータ(ａＣＷｍｉｎ,ａＣＷｍａｘ)及びスケーリング要素に基づいて複数のＥＤＣＡパラメータセットが決定されることができる。以下の表７は、複数のＥＤＣＡパラメータセットを決定する方法に対して開示する。
【０１８３】
【表７】
0006456951.tif 000011
【０１８４】
表７を参照すると、複数のＥＤＣＡパラメータセットは、複数のＥＤＣＡパラメータセット設定要素に含まれている全体セット個数１５００及びスケーリング要素１５４０のスケーリング値を考慮して決定されることができる。例えば、全体セット個数１５００がＮ個の場合、１、２、…、Ｎを表７に代入し、スケーリング要素１５４０を介して送信されたスケーリング値を表７に代入することで、複数のＥＤＣＡパラメータセットの各々が決定されることができる。
【０１８５】
以下の表８乃至表１１は、Ｎが４であり、スケーリング値が２の場合、複数のＥＤＣＡパラメータセットの各々を示す。
【０１８６】
【表８】
0006456951.tif 000012
【０１８７】
表８は、表７でＮに１、スケーリング値２を代入した場合であって、ＥＤＣＡパラメータセット１の第１のＥＤＣＡパラメータを示す。
【０１８８】
【表９】
0006456951.tif 000013
【０１８９】
表９は、表７でＮに２、スケーリング値２を代入した場合であって、ＥＤＣＡパラメータセット２の第２のＥＤＣＡパラメータを示す。
【０１９０】
【表１０】
0006456951.tif 000014
【０１９１】
表１０は、表７でＮに３、スケーリング値２を代入した場合であって、ＥＤＣＡパラメータセット３の第３のＥＤＣＡパラメータを示す。
【０１９２】
【表１１】
0006456951.tif 000015
【０１９３】
表１１は、表７でＮに４、スケーリング値２を代入した場合であって、ＥＤＣＡパラメータセット４の第４のＥＤＣＡパラメータを示す。
【０１９４】
即ち、ＥＤＣＡパラメータセットＮ(Ｎは、１以上の自然数)は、各々のＡＣに対してデフォルトＥＤＣＡパラメータに基づいて決定された第ＮのＥＤＣＡパラメータを含むことができる。表７のＥＤＣＡパラメータセットＮを決定するための数式は、一つの例示に過ぎない。多様な数式に基づいて複数のＥＤＣＡパラメータセットの各々が決定されることができる。デフォルトＥＤＣＡパラメータに基づいて全体セット個数１５００及びスケーリング要素１５４０を考慮して複数のＥＤＣＡパラメータセットを決定する方法に対しては、予めＳＴＡとＡＰとの間で定義されることができる。即ち、ＳＴＡは、デフォルトＥＤＣＡパラメータに対する情報、全体ＥＤＣＡパラメータセットの個数に対する情報１５００及びスケーリング要素１５４０を考慮して、表７のように予め定義された数式に基づいて複数のＥＤＣＡパラメータセットの各々を決定することができる。
【０１９５】
また、ＳＴＡは、現在チャネルで使われるＥＤＣＡパラメータセットに対する情報１５２０に基づいて複数のＥＤＣＡパラメータセットのうち、現在チャネルで使われるＥＤＣＡパラメータを決定することができる。
【０１９６】
図１５で開示された方法は、ＥＤＣＡパラメータセットを決定するためのスケーリング要素１５４０を利用する一つの方法であり、他の多様な方法によりＥＤＣＡパラメータセットを決定するためのスケーリング要素１５４０が使われることができる。例えば、図１３で前述したように、ＥＤＣＡパラメータセットＮ(Ｎは、２以上の自然数)は、ＥＤＣＡパラメータセット１の第１のＥＤＣＡパラメータに基づいて決定された第ＮのＥＤＣＡパラメータを含み、追加的に、第ＮのＥＤＣＡパラメータは、スケーリング要素を考慮して決定されることができる。例えば、各々のアクセスカテゴリに対して第ＮのＥＤＣＡパラメータのうち、ＣＷｍｉｎは(ＥＤＣＡパラメータセット１のＣＷｍｉｎ)×Ｎ×スケーリング要素に決定され、ＣＷｍａｘは(ＥＤＣＡパラメータセット１のＣＷｍａｘ)×Ｎ×スケーリング要素に決定されることができる。
【０１９７】
ＳＴＡは、最も最近ＡＰから取得した現在ＥＤＣＡパラメータセット指示子１５２０に基づいてチャネルアクセスのためのＥＤＣＡパラメータセットを決定してチャネルアクセスを実行することができる。デフォルトスケーリング値は、１である。
【０１９８】
また、本発明の実施例によると、ＡＰは、スケーリング要素及び設定されたＥＤＣＡパラメータセットに基づいてチャネルアクセスのために使われるＥＤＣＡパラメータセットを決定することもできる。
【０１９９】
図１６は、本発明の実施例に係る複数のＥＤＣＡパラメータセット設定要素を示す概念図である。
【０２００】
図１６では、スケーリング要素１６００及び設定されたＥＤＣＡパラメータセットに基づいて複数のＥＤＣＡパラメータセットを決定する方法に対して開示する。
【０２０１】
図１６を参照すると、ＳＴＡがチャネルアクセスのために使用するＥＤＣＡパラメータは、設定されたＥＤＣＡパラメータセットのＥＤＣＡパラメータにスケーリング要素１６００を適用して決定されることができる。例えば、ＳＴＡが使用するＡＣ_ＢＥのＥＤＣＡパラメータは、設定されたＥＤＣＡパラメータセットのＡＣ_ＢＥのａＣＷｍｉｎ、ａＣＷｍａｘにスケーリング要素１６００をかけた値であるａＣＷｍｉｎ×スケーリング要素、ａＣＷｍａｘ×スケーリング要素である。
【０２０２】
設定されたＥＤＣＡパラメータセットの特定ＡＣに対するＣＷｍｉｎとＣＷｍａｘの値がＣＷｍｉｎ＝ａ、ＣＷｍａｘ＝ｚであり、スケーリング要素１６００がｋの場合、ＳＴＡによりチャネルアクセスのために使われるＥＤＣＡパラメータセットの特定ＡＣに対するＥＤＣＡパラメータは、ＣＷｍｉｎ＝ａ×ｋ、ＣＷｍａｘ＝ｚ×ｋである。
【０２０３】
即ち、ＳＴＡは、設定されたＥＤＣＡパラメータセット及びスケーリング要素に基づいてチャネルアクセスのために使用する一つのＥＤＣＡパラメータセットを決定することができる。
【０２０４】
前述したように、節電モードで動作するＳＴＡがドーズ状態からアウェイク状態に切り替える場合を仮定することができる。ＡＰがビーコンフレームを介して変化されたＥＤＣＡパラメータに対する情報を送信してビーコンインターバル間でアウェイク状態に切り替えたＳＴＡは、ビーコンフレームを即時受信することができない。即ち、ＳＴＡが変化されたＥＤＣＡパラメータセットを送信するビーコンフレームを受信することができず、ドーズ状態からアウェイク状態に切り替えられる場合、ＳＴＡは、現在チャネル状況に合うように変更されたＥＤＣＡパラメータに基づいてチャネルアクセスを実行することができない。
【０２０５】
本発明の実施例によると、ＳＴＡのビーコンフレームの受信前に変更されたＥＤＣＡパラメータに対する情報の受信のために、ＡＰは、ビーコンインターバル内で短い周期に変更されたＥＤＣＡパラメータに対する情報(例えば、複数のＥＤＣＡパラメータセットの個数、ＥＤＣＡパラメータセット指示子及びＥＤＣＡスケーリング要素のうち少なくとも一つ)をＳＴＡに送信することができる。以下、変更されたＥＤＣＡパラメータセットを決定するための情報をＥＤＣＡパラメータセット決定情報という用語で表現する。
【０２０６】
ＳＴＡは、ビーコンインターバル内で短い周期にＥＤＣＡパラメータセット決定情報を送信するために多様な情報単位を使用することができる。例えば、ＮＤＰ(ｎｕｌｌ  ｄａｔａ  ｐａｃｋｅｔ)のようなデータフィールドを含まないデータ単位を介してビーコンインターバル内で短い周期にＥＤＣＡパラメータセット決定情報がＳＴＡに送信されることができる。ＮＤＰフォーマットでない他の多様なＰＰＤＵまたはフレームを介してＥＤＣＡパラメータセット決定情報が送信されることもできる。ビーコンインターバル内で短い周期にＥＤＣＡパラメータセット決定情報を送信するためのフレームは、チャネルアクセスパラメータフレームという用語で表現されることもできる。
【０２０７】
図１７は、本発明の実施例に係るＳＴＡのＥＤＣＡパラメータ情報を受信する方法を示す概念図である。
【０２０８】
図１７を参照すると、ドーズ状態のＳＴＡがビーコンインターバル中間にアウェイク状態に切り替えた場合、ＣＣＡベースのチャネルモニタリングを実行することでチャネルを介してフレームを受信することができる。ＳＴＡは、ビーコンフレーム１７００の受信前にＥＤＣＡパラメータセット決定情報を含むチャネルアクセスパラメータフレームであるＮＤＰ１７５０を受信することができる。もちろん、ビーコンインターバル中間にアウェイク状態に切り替えたＳＴＡだけでなく、アウェイク状態のＳＴＡも、ビーコンインターバル中間にＥＤＣＡパラメータセット決定情報を含むＮＤＰ１７５０を受信することもできる。
【０２０９】
ＳＴＡがＮＤＰ１７５０を受信する場合、ＥＤＣＡパラメータセット決定情報に基づいてチャネルアクセスのために使用するＥＤＣＡパラメータセットを決定することができる。ＳＴＡは、決定されたＥＤＣＡパラメータセットに含まれているＥＤＣＡパラメータに基づいてチャネルアクセスをすることができる。ＳＴＡがチャネルアクセスのために使用するＥＤＣＡパラメータをＥＤＣＡパラメータという用語で表現できる。
【０２１０】
ＥＤＣＡパラメータセット決定情報を含むＮＤＰ１７５０は、ビーコンインターバル内に少なくとも一回以上送信されることができる。このようなＥＤＣＡパラメータセット情報は、ＥＤＣＡパラメータが変更された場合、一定の期間中に特定の周期で送信されることもある。また、ＥＤＣＡパラメータセット情報は、ＥＤＣＡパラメータが変更されない場合、送信されないこともある。このような場合、ＳＴＡは、ＥＤＣＡパラメータセット情報を受信するために、一定期間中にチャネルをモニタリングし、ＥＤＣＡパラメータセット情報を含むチャネルアクセスパラメータフレームが送信されない場合、以前に決定された(または、格納された)ＥＤＣＡパラメータに基づいてチャネルアクセスを実行することができる。ＳＴＡがＥＤＣＡパラメータセット情報を受信するためにチャネルをモニタリングする期間は、ＥＤＣＡパラメータセット情報が送信される周期に基づいて決定されることができる。
【０２１１】
図１８は、本発明の実施例に係るＥＤＣＡパラメータ情報を伝達するためのＮＤＰを示す概念図である。
【０２１２】
図１８では、チャネルアクセスパラメータフレームとしてＮＤＰに対して開示する。
【０２１３】
図１８を参照すると、ＮＤＰのＳＩＧ１８００は、ＥＤＣＡパラメータセット決定情報１８５０を含むことができる。
【０２１４】
前述したように、ＮＤＰに基づいているＥＤＣＡパラメータセット決定情報１８５０の送信は、ＥＤＣＡパラメータセット決定情報１８５０の変化がある場合、実行されることもある。もし、ＥＤＣＡパラメータセット決定情報１８５０が変化されない場合、ＮＤＰを介したＥＤＣＡパラメータセット決定情報１８５０の送信が実行されないこともある。
【０２１５】
図１９は、本発明の実施例に係るＳＴＡのＥＤＣＡパラメータセット決定情報を受信する方法を示す概念図である。
【０２１６】
図１９では、ＳＴＡによるＥＤＣＡパラメータセット情報の要求に基づいてＳＴＡがＡＰからＥＤＣＡパラメータセット情報を受信する方法に対して開示する。
【０２１７】
ドーズ状態からアウェイク状態に切り替えたＳＴＡは、１番目のアップリンクフレーム(例えば、ＰＳ−Ｐｏｌｌフレーム)１９２０を送信する時、アップリンクフレームに基づいてＡＰにＥＤＣＡパラメータセットを要求することができる。ＳＴＡがアウェイク状態に切り替えた後、ビーコンフレーム１９００またはＮＤＰフレームを介してＥＤＣＡパラメータセット決定情報を受信することができない場合にのみ、ＳＴＡの１番目のアップリンクフレーム１９２０を介したＥＤＣＡパラメータセットの要求が実行されることもできる。
【０２１８】
例えば、ＳＴＡは、アップリンクフレーム１９２０にＥＤＣＡ要求要素(ＥＤＣＡ  ｒｅｑｕｅｓｔ  ｅｌｅｍｅｎｔ)を含んで送信できる。ＥＤＣＡ要求要素は、ＡＰにＥＤＣＡパラメータセット決定情報を要求するための指示子である。ＡＰがＥＤＣＡ要求要素を含むアップリンクフレーム１９２０を受信した場合、ＡＰは、ＥＤＣＡパラメータセット決定情報を含むアップリンクフレーム１９２０に対する応答(例えば、ＡＣＫフレーム１９５０)をＳＴＡに送信することができる。ＡＣＫフレームがチャネルアクセスパラメータフレームとして使われることができる。
【０２１９】
図２０は、本発明の実施例に係るＳＴＡのＥＤＣＡパラメータ情報受信方法を示す概念図である。
【０２２０】
図２０では、ＳＴＡによるＥＤＣＡパラメータセット情報の要求無しでＳＴＡがＡＰからＥＤＣＡパラメータセット情報を受信する方法に対して開示する。
【０２２１】
ドーズ状態からアウェイク状態に切り替えたＳＴＡは、１番目のアップリンクフレーム(例えば、ＰＳ−Ｐｏｌｌフレーム)２０２０を送信することができる。ＡＰは、１番目のアップリンクフレーム２０２０に対する応答としてＥＤＣＡパラメータセット決定情報を含む応答フレーム(例えば、ＡＣＫフレーム)２０５０をＳＴＡに送信することができる。
【０２２２】
本発明の実施例に係るＳＴＡのＥＤＣＡパラメータセット決定情報は、ＡＣＫ、ＮＤＰＡＣＫ、ＴＡＣＫ、ＳＴＡＣＫなどのような既存の応答フレームや新しく定義された応答フレームを介して伝達されることができる。または、ＥＤＣＡパラメータセット決定情報は、データフレーム、管理フレーム、制御フレームを介してＡＰからＳＴＡに送信されることもできる。即ち、既存の応答フレームだけでなく、新しく定義された応答フレームがチャネルアクセスパラメータフレームとして使われることができる。
【０２２３】
以下、ＡＣＫフレーム２０５０を介してＥＤＣＡパラメータセット決定情報を送信する方法に対して例示的に開示する。ＡＰは、ＳＴＡにより送信されたフレームに対する応答フレームとしてＡＣＫフレーム２０５０を送信することができる。ＡＣＫフレーム２０５０の追加断片化ビット(ｍｏｒｅ  ｆｒａｇｍｅｎｔｓ  ｂｉｔ)が１に設定される場合(０は、既存の値)、以下の表１２のように応答フレームのデュレーションフィールド(ｄｕｒａｔｉｏｎ  ｆｉｅｌｄ)は、ＥＤＣＡパラメータセット情報を含むことができる。追加断片化ビットは、一つの例に過ぎず、他のフィールド(例えば、ｒｅｔｒｙ＝＝１)がＥＤＣＡパラメータセット情報を伝達するために使われることもできる。
【０２２４】
【表１２】
0006456951.tif 000016
【０２２５】
ビット１４が０、ビット１５が１の場合、ビット０〜１３における値１〜４は、ＥＤＣＡパラメータセット決定情報を送信するために使われることができる。即ち、既存のＡＣＫフレームのフィールドに基づいてＥＤＣＡパラメータセット決定情報を送信することができる。
【０２２６】
図２１は、本発明の実施例に係るＥＤＣＡパラメータセット決定情報を送信するための応答フレームを示す概念図である。
【０２２７】
図２１では、ＥＤＣＡパラメータセット決定情報が既存のフィールドを介して明示的または暗示的に送信されずに別途のフィールドを介して明示的に送信される方法に対して開示する。
【０２２８】
図２１を参照すると、ＡＣＫフレームのような応答フレームにはＥＤＣＡパラメータセット決定フィールドが別途のフィールドとして含まれることができる。ＥＤＣＡパラメータセット決定フィールドは、現在チャネルで使われるＥＤＣＡパラメータセットを決定するための情報(例えば、ＥＤＣＡパラメータセット指示子及びＥＤＣＡスケーリング要素のうち少なくとも一つ)を含むことができる。
【０２２９】
図２２は、本発明の実施例が適用されることができる無線装置を示すブロック図である。
【０２３０】
図２２を参照すると、無線装置は、前述した実施例を具現することができるＳＴＡであり、ＡＰ２２００または非ＡＰ  ＳＴＡ(ｎｏｎ−ＡＰ  ｓｔａｔｉｏｎ)  ２２５０である。
【０２３１】
ＡＰ  ２２００は、プロセッサ２２１０、メモリ２２２０及びＲＦ部(ｒａｄｉｏ  ｆｒｅｑｕｅｎｃｙ  ｕｎｉｔ)１６３０を含む。
【０２３２】
ＲＦ部２２３０は、プロセッサ２２１０と連結して無線信号を送信/受信することができる。
【０２３３】
プロセッサ２２１０は、本発明で提案された機能、過程及び/または方法を具現する。例えば、プロセッサ１６１０は、前述した本発明の実施例に係る無線装置の動作を実行するように具現されることができる。
【０２３４】
例えば、プロセッサ２２１０は、ビーコンインターバル間でチャネルアクセスパラメータフレームを送信することができる。チャネルアクセスパラメータフレームは、ＥＤＣＡセット決定情報を含むことができる。
【０２３５】
ＳＴＡ  ２２５０は、プロセッサ２２６０、メモリ１６７０及びＲＦ部(ｒａｄｉｏ  ｆｒｅｑｕｅｎｃｙ  ｕｎｉｔ)  ２２８０を含む。
【０２３６】
ＲＦ部２２８０は、プロセッサ２２６０と連結して無線信号を送信/受信することができる。
【０２３７】
プロセッサ２２６０は、本発明で提案された機能、過程及び/または方法を具現する。例えば、プロセッサ２２６０は、前述した本発明の実施例に係る無線装置の動作を実行するように具現されることができる。
【０２３８】
例えば、プロセッサ２２６０は、節電モードで動作時、ビーコンインターバル間でドーズ状態からアウェイク状態に切り替え、アウェイク状態に切り替えられた後、チャネルアクセスパラメータフレームをモニタリングし、ＡＰからチャネルアクセスパラメータフレームを受信することができる。チャネルアクセスパラメータフレームは、ＥＤＣＡセット決定情報を含むことができる。また、プロセッサ２２６０は、ＥＤＣＡセット決定情報に基づいて決定されたチャネルアクセスＥＤＣＡパラメータを使用してチャネルアクセスするように具現されることができる。このとき、チャネルアクセスパラメータフレームは、ビーコンインターバル間で少なくとも一回送信されることができる。ＥＤＣＡセット決定情報は、ＥＤＣＡパラメータセット指示子及びスケーリング要素を含み、ＥＤＣＡパラメータセット指示子は、複数のＥＤＣＡパラメータセットのうち、チャネルアクセスのために使用する一つのＥＤＣＡパラメータセットを指示する情報を含むことができる。また、一つのＥＤＣＡパラメータセットは、複数のアクセスカテゴリの各々に対するＥＤＣＡパラメータを含み、スケーリング要素は、前記ＥＤＣＡパラメータを決定するためのスケーリング値に対する情報を含むことができる。チャネルアクセスＥＤＣＡパラメータは、ＥＤＣＡパラメータのうち、一つのアクセスカテゴリに対するＥＤＣＡパラメータ情報である。
【０２３９】
プロセッサ２２１０,  ２２６０は、ＡＳＩＣ(ａｐｐｌｉｃａｔｉｏｎ−ｓｐｅｃｉｆｉｃ  ｉｎｔｅｇｒａｔｅｄ  ｃｉｒｃｕｉｔ)、他のチップセット、論理回路、データ処理装置及び/またはベースバンド信号及び無線信号を相互変換する変換器を含むことができる。メモリ２２２０,  ２２７０は、ＲＯＭ(ｒｅａｄ−ｏｎｌｙ  ｍｅｍｏｒｙ)、ＲＡＭ(ｒａｎｄｏｍ  ａｃｃｅｓｓ  ｍｅｍｏｒｙ)、フラッシュメモリ、メモリカード、格納媒体及び/または他の格納装置を含むことができる。ＲＦ部２２３０,  ２２８０は、無線信号を送信及び/または受信する一つ以上のアンテナを含むことができる。
【０２４０】
実施例がソフトウェアで具現される時、前述した技法は、前述した機能を遂行するモジュール(過程、機能など)で具現されることができる。モジュールは、メモリ２２２０,  ２２７０に格納され、プロセッサ２２１０,  ２２６０により実行されることができる。メモリ２２２０,  ２２７０は、プロセッサ２２１０,  ２２６０の内部または外部にあり、よく知られた多様な手段によりプロセッサ２２１０,  ２２６０と連結されることができる。
【図１】
0006456951.tif 000017
【図２】
0006456951.tif 000018
【図３】
0006456951.tif 000019
【図４】
0006456951.tif 000020
【図５】
0006456951.tif 000021
【図６】
0006456951.tif 000022
【図７】
0006456951.tif 000023
【図８】
0006456951.tif 000024
【図９】
0006456951.tif 000025
【図１０】
0006456951.tif 000026
【図１１】
0006456951.tif 000027
【図１２】
0006456951.tif 000028
【図１３】
0006456951.tif 000029
【図１４】
0006456951.tif 000030
【図１５】
0006456951.tif 000031
【図１６】
0006456951.tif 000032
【図１７】
0006456951.tif 000033
【図１８】
0006456951.tif 000034
【図１９】
0006456951.tif 000035
【図２０】
0006456951.tif 000036
【図２１】
0006456951.tif 000037
【図２２】
0006456951.tif 000038